(57)【要約】【課題】ラベルが台紙から剥離された状態で排出される動作モードに容易に切り替えることが可能であり、且つ、ラベルを台紙から適切に剥離させることが可能な印刷装置を提供する。【解決手段】印刷装置１は、ラベルに印刷を行う印刷部２６Ｂ、蓋部３、蓋部に設けられた第１ローラ３２、第２ローラ及び突起部を少なくとも備え、第１ローラ３２から第２ローラが離隔した第１状態、第１ローラ３２に第２ローラが近接した第２状態、及び、第１ローラ３２に第２ローラが接触した第３状態に切り替え可能な剥離機構５、及び、蓋部３が開放した状態から閉塞した状態に変化することに応じて剥離機構５の突起部を移動させることで、剥離機構５を第１状態から第２状態に切り替える移動部と、剥離機構５の突起部の移動を規制することで、剥離機構５が第３状態から第２状態に切り替わることを規制することが可能な第１規制部とを有する第１誘導部を備える。【選択図】図２
2015160662.tif 000002
【特許請求の範囲】
【請求項１】
ラベルに印刷を行う印刷部と、
前記ラベルが貼付された台紙が巻回されたロールを収容する収容部を開閉可能な蓋部と、
前記蓋部に設けられた第１ローラと、
第２ローラ及び突起部を少なくとも備えた機構であって、前記第１ローラから前記第２ローラが離隔した第１状態、前記第１ローラに前記第２ローラが近接した第２状態、及び、前記第１ローラに前記第２ローラが接触した第３状態に切り替え可能な剥離機構と、
前記蓋部に設けられた部材であって、前記蓋部が開放した状態から閉塞した状態に変化することに応じて前記剥離機構の前記突起部を移動させることで、前記剥離機構を前記第１状態から前記第２状態に切り替える移動部と、前記剥離機構の前記突起部の移動を規制することで、前記剥離機構が前記第３状態から前記第２状態に切り替わることを規制することが可能な第１規制部とを有する第１誘導部と
を備えたことを特徴とする印刷装置。
【請求項２】
前記第１規制部は、前記突起部の移動を規制する位置と規制しない位置との間で移動可能であり、
前記蓋部は、前記突起部の移動を規制しない位置から規制する位置に向けて前記第１規制部を付勢する第１付勢部を更に備えたことを特徴とする請求項１に記載の印刷装置。
【請求項３】
前記剥離機構が前記第２状態から前記第３状態に切り替わるときに前記突起部を誘導する第２誘導部を備えたことを特徴とする請求項１又は２に記載の印刷装置。
【請求項４】
前記剥離機構を、前記第３状態から前記第２状態を経て前記第１状態に向けて付勢する第２付勢部を備えたことを特徴とする請求項１から３の何れかに記載の印刷装置。
【請求項５】
前記剥離機構は、前記移動部による移動が不可能な第４状態に更に切り替え可能であり、
前記剥離機構を前記第４状態に固定する固定部を更に備えたことを特徴とする請求項１から４の何れかに記載の印刷装置。
【請求項６】
前記剥離機構は、
軸部を有する枠部と、
前記枠部に対して移動可能に設けられ、前記第２ローラを支持する部材であって、前記軸部と前記第２ローラとの間の距離を、第１距離と、前記第１距離と異なる第２距離とに切り替え可能な支持部と
を備え、
前記蓋部が閉塞した状態における前記第１ローラと前記軸部との間の距離は、前記第１距離に略等しく、前記支持部を切り替えて前記軸部と前記第２ローラとの間の距離を前記第１距離とした場合、前記剥離機構は、前記軸部を支点として揺動することによって、前記第２状態から前記第３状態に切り替わることを特徴とする請求項１から５の何れかに記載の印刷装置。
【請求項７】
前記剥離機構は、
前記軸部と前記第２ローラとの間の距離を前記第２距離とした状態で、前記支持部の移動を規制する第２規制部と、
前記軸部と前記第２ローラとの間の距離を前記第１距離とした状態で、前記支持部の移動を規制する第３規制部と
を備えたことを特徴とする請求項６に記載の印刷装置。
【発明の詳細な説明】
【技術分野】
【０００１】
本発明は、印刷されたラベルを台紙から剥離する剥離機構を備えた印刷装置に関する。
【背景技術】
【０００２】
印刷されたラベルが台紙に貼付された状態で排出される動作モードと、印刷されたラベルが台紙から剥離された状態で排出される動作モードとを切り替えることが可能な印刷装置が知られている。特許文献１は、通常発行状態と剥離発行状態とに切り替え可能なラベルプリンタを開示する。ラベルプリンタは、転向ローラとトーションバネとを有する剥離ユニットを備える。剥離ユニットは、通常発行状態でプラテンローラから転向ローラが離隔し、剥離発行状態でプラテンローラに転向ローラが接触するように移動可能である。剥離発行状態において、転向ローラはトーションバネの付勢力によってプラテンローラに押し付けられる。プラテンローラ及び転向ローラは、間に台紙を挟んだ状態で回転し、台紙のうちラベルが貼付されていない面が対向するように台紙を屈曲させる。これによって剥離ユニットは、印刷されたラベルを台紙から剥離させる。なお、印刷されたラベルを台紙から適切に剥離させるためには、転向ローラとプラテンローラとを適切に接触させることが好ましい。
【先行技術文献】
【特許文献】
【０００３】
【特許文献１】特開２００６−１５０８５８号公報
【発明の概要】
【発明が解決しようとする課題】
【０００４】
上記ラベルプリンタでは、転向ローラは、トーションバネの付勢力によってプラテンローラに押し付けられる。このため、転向ローラとプラテンローラとの接触が不十分になる場合がある。一方、転向ローラとプラテンローラとを適切に接触させるためにトーションバネの付勢力を強くした場合、ユーザは、動作モードを切り替える操作を容易に行うことができなくなる場合がある。その理由は、ユーザが動作モードを剥離発行状態から通常発行状態に切り替える場合、トーションバネの付勢力に逆らって転向ローラをプラテンローラから離隔させるために強い力が必要となるためである。このように、上記ラベルプリンタでは、印刷されたラベルを台紙から適切に剥離させることと、動作モードの切り替えとを両立させることが難しい。
【０００５】
本発明の目的は、ラベルが台紙から剥離された状態で排出される動作モードに容易に切り替えることが可能であり、且つ、ラベルを台紙から適切に剥離させることが可能な印刷装置を提供することである。
【課題を解決するための手段】
【０００６】
本発明の印刷装置は、ラベルに印刷を行う印刷部と、前記ラベルが貼付された台紙が巻回されたロールを収容する収容部を開閉可能な蓋部と、前記蓋部に設けられた第１ローラと、第２ローラ及び突起部を少なくとも備えた機構であって、前記第１ローラから前記第２ローラが離隔した第１状態、前記第１ローラに前記第２ローラが近接した第２状態、及び、前記第１ローラに前記第２ローラが接触した第３状態に切り替え可能な剥離機構と、前記蓋部に設けられた部材であって、前記蓋部が開放した状態から閉塞した状態に変化することに応じて前記剥離機構の前記突起部を移動させることで、前記剥離機構を前記第１状態から前記第２状態に切り替える移動部と、前記剥離機構の前記突起部の移動を規制することで、前記剥離機構が前記第３状態から前記第２状態に切り替わることを規制することが可能な第１規制部とを有する第１誘導部とを備えている。
【０００７】
本発明によれば、剥離機構は、蓋部を閉じる動作に応じて第１状態から第２状態まで移動する。これによってユーザは、蓋部を閉じる操作を行うことによって、剥離機構を、第２状態から第３状態に容易に切り替えることが可能な状態とすることができる。従ってユーザは、蓋部を閉じる操作を行うことによって、印刷装置の状態を、印刷されたラベルが台紙から剥離されて排出されるモードに容易に切り替えることができる。又、第１規制部は、剥離機構が第３状態から第２状態に切り替わることを抑制できる。従って、剥離機構は、第３状態においてラベルを台紙から適切に剥離させることができる。
【０００８】
本発明において、前記第１規制部は、前記突起部の移動を規制する位置と規制しない位置との間で移動可能であり、前記蓋部は、前記突起部の移動を規制しない位置から規制する位置に向けて前記第１規制部を付勢する第１付勢部を更に備えてもよい。この場合、第１規制部は、第１付勢部によって、突起部の移動を規制する位置に移動する。従って第１規制部は、突起部の移動を適切に規制できる。又、ユーザは、第１付勢部の付勢力に逆らって、突起部の移動を規制しない位置に第１規制部を移動させることによって、第１規制部による突起部の移動の規制を解除できる。これによってユーザは、剥離機構を第３状態から第２状態に容易に切り替えることができる。
【０００９】
本発明において、前記剥離機構が前記第２状態から前記第３状態に切り替わるときに前記突起部を誘導する第２誘導部を備えてもよい。この場合、ユーザは、剥離機構を第２状態から第３状態に容易に切り替えることができる。
【００１０】
本発明において、前記剥離機構を、前記第３状態から前記第２状態を経て前記第１状態に向けて付勢する第２付勢部を備えてもよい。この場合、ユーザは、第１規制部による突起部の移動の規制を解除する操作を行うことによって、剥離機構を第３状態から第２状態に容易に切り替えることができる。又、ユーザは、蓋部を開放する操作を行うことによって剥離機構を第２状態から第１状態に容易に切り替えることができる。以上の結果、ユーザは、印刷装置の動作モードを容易に切り替えることができる。
【００１１】
本発明において、前記剥離機構は、前記移動部による移動が不可能な第４状態に更に切り替え可能であり、前記剥離機構を前記第４状態に固定する固定部を更に備えてもよい。この場合、ユーザは、固定部によって剥離機構を第４状態に固定させることによって、ラベルから台紙が剥離されない状態で排出される動作モードで印刷装置を安定的に動作させることができる。
【００１２】
本発明において、前記剥離機構は、軸部を有する枠部と、前記枠部に対して移動可能に設けられ、前記第２ローラを支持する部材であって、前記軸部と前記第２ローラとの間の距離を第１距離と、前記第１距離と異なる第２距離とに切り替え可能な支持部とを備え、前記蓋部が閉塞した状態における前記第１ローラと前記軸部との間の距離は、前記第１距離に略等しく、前記支持部を切り替えて前記軸部と前記第２ローラとの間の距離を第１距離とした場合、前記剥離機構は、前記軸部を支点として揺動することによって、前記第２状態から前記第３状態に切り替わってもよい。この場合、ユーザは、軸部と第２ローラとの間の距離が第２距離となるように支持部を切り替えることによって、第１ローラに第２ローラが接触しないように配置させることができる。従ってユーザは、軸部と第２ローラとの間の距離が第２距離となるように支持部を切り替えることによって、ラベルから台紙が剥離されない状態で排出される動作モードで印刷装置を安定的に動作させることができる。
【００１３】
本発明において、前記剥離機構は、前記軸部と前記第２ローラとの間の距離を前記第２距離とした状態で、前記支持部の移動を規制する第２規制部と、前記軸部と前記第２ローラとの間の距離を前記第１距離とした状態で、前記支持部の移動を規制する第３規制部とを備えてもよい。これによってユーザは、印刷装置の動作モードが、ラベルから台紙が剥離された状態で排出される動作モードと、ラベルから台紙が剥離されない状態で排出される動作モードとの間で不意に切り替わらないようにできる。
【図面の簡単な説明】
【００１４】
【図１】印刷装置１（蓋部３を閉じた状態）の斜視図である。
【図２】印刷装置１（蓋部３を開いた状態）の斜視図である。
【図３】蓋部３の斜視図である。
【図４】収容状態の剥離機構５を上側から見た斜視図である。
【図５】収容状態の剥離機構５を下側から見た斜視図である。
【図６】突出状態の剥離機構５を上側から見た斜視図である。
【図７】突出状態の剥離機構５を下側から見た斜視図である。
【図８】印刷装置１（蓋部３を開いた状態）の内部構成を示す斜視図である。
【図９】印刷装置１（蓋部３を開いた状態）の内部構成を示す斜視図である。
【図１０】印刷装置１の内部構成を示す斜視図である。
【図１１】図１のXI−XI線を矢印方向から見た断面図
【図１２】印刷装置１の内部構成を示す斜視図である。
【図１３】図２のXIII−XIII線を矢印方向から見た断面図
【図１４】印刷装置１（蓋部３を開いた状態）の斜視図である。
【図１５】印刷装置１（蓋部３を閉じた状態）の斜視図である。
【図１６】印刷装置１（蓋部３を開いた状態）の斜視図である。
【図１７】印刷装置１（蓋部３を閉じた状態）の斜視図である。
【発明を実施するための形態】
【００１５】
以下、本発明の実施形態について、図面を参照して説明する。印刷装置１は、ＵＳＢ（登録商標）ケーブルを介して外部端末（図示外）に接続可能である。印刷装置１は、外部端末から受信した印刷データに基づいて、印刷媒体に文字や図形等を印刷できる。印刷媒体は感熱ラベルである。外部端末は汎用のパーソナルコンピュータ（ＰＣ）である。図１の右下側、左上側、右上側、左下側、上側、及び下側を、夫々、印刷装置１の右側、左側、後側、前側、上側、及び下側と定義する。
【００１６】
＜印刷装置１の概要＞
図１、図２を参照し、印刷装置１の概要について説明する。印刷装置１は本体部２を備える。本体部２は、制御部（図示略）、印刷部２６Ｂ、駆動部（図示略）等を内部に備える。制御部は、印刷装置１全体を制御するＣＰＵを有する。印刷部２６Ｂは、感熱ラベルに印刷を行うことが可能なラインサーマルヘッドである。駆動部は、感熱ラベルを搬送するためのモータである。本体部２は、前方上側の傾斜部２Ａに表示部２１及びスイッチ２２を備える。本体部２は、傾斜部２Ａのうち表示部２１の後側に剥離機構５を備える。本体部２は、剥離機構５の後側に収容部２４を備える。本体部２は、右側に電源供給部１２、ＵＳＢ（登録商標）インタフェース（Ｉ／Ｆ）１３、レバー２３、収容部２５、本体固定部２８等を備える。
【００１７】
収容部２４は、感熱ラベルが貼付された台紙が巻回されたロール（図示略）を収容可能な空間を形成する。以下、台紙及び感熱ラベルを、テープという。収容部２４の左右両側及び上側は開口する。収容部２４内に用紙ホルダ９が固定されている。用紙ホルダ９は、ロールを保持するための部材である。収容部２４のうち前側の壁部の上端に切断部２６Ａが設けられ、切断部２６Ａの下側に印刷部２６Ｂが設けられている。切断部２６Ａは、テープのうち印刷された部分を切り離すことが可能な刃である。切断部２６Ａ及び印刷部２６Ｂは、左右方向に延びる。収容部２４の前側の壁部のうち左右両端部の夫々から後方に向けて、一対の係合部２４１の夫々が突出する。一対の係合部２４１の夫々は、上方に延びる第１延設部、及び、第１延設部の上端から前方に延びる第２延設部を備える。一対の係合部２４１の夫々は、下端を支軸として揺動可能である。一対の係合部２４１の夫々は、レバー２３が下方に押し下げられた場合、夫々の第１延設部の上端が後方に移動する向きに揺動する。
【００１８】
蓋部３は、収容部２４の後端に設けられた支軸２９に揺動可能に支持されている。蓋部３は、上側、右側、及び左側から収容部２４を覆う位置に揺動可能である。支軸２９に付勢部２９Ａが巻回されている。付勢部２９Ａはばねである。付勢部２９Ａは、蓋部３が収容部２４を覆った状態から、覆わない状態に向けて付勢する。以下、蓋部３が収容部２４を覆った状態を、蓋部３が閉じた状態といい、蓋部３が収容部２４を覆わない状態を、蓋部３が開いた状態という。
【００１９】
蓋部３は、支軸２９によって支持されている側と反対側の端部に、第１ローラ３２を回転可能に支持する。第１ローラ３２の回転軸は左右方向に延びている。第１ローラ３２の回転軸の左右端部から左右外側に向けて、一対の被係合部３２１が延びている。一対の被係合部３２１の夫々は円柱状である。左側の被係合部３２１の左側に、ギア３６が設けられている。一対の被係合部３２１の夫々は、蓋部３が閉じた状態で、一対の係合部２４１の夫々の第２延設部に係合する。この場合、蓋部３の閉じた状態から開いた状態に向かう揺動は、係合部２４１によって抑制され、閉じた状態が維持される。
【００２０】
蓋部３が閉じた状態で、印刷部２６Ｂと第１ローラ３２とは近接する。蓋部３が閉じた状態で、剥離機構５と第１ローラ３２との間に、テープが排出される排出口２６Ｃが形成される。蓋部３が閉じた状態で、ギア３６は、本体部２に設けられたギア７６（図８、図９参照）に噛み合う。ギア７６は、本体部２の駆動部に連結し、回転可能である。蓋部３が閉じた状態でギア７６が回転した場合、ギア３６及び第１ローラ３２は、ギア７６の回転に応じて回転する。
【００２１】
蓋部３が閉じた状態でレバー２３が下方に押し下げられた場合、係合部２４１の第２延設部から被係合部３２１が外れる。蓋部３は、付勢部２９Ａの付勢力によって、閉じた状態から開いた状態に向けて揺動する。
【００２２】
電源供給部１２は、ＡＣアダプタのプラグを差し込むための端子である。ＵＳＢ（登録商標）  Ｉ／Ｆ１３は、ＵＳＢケーブルのコネクタを差し込むための複数の端子である。印刷装置１は、ＵＳＢ  Ｉ／Ｆ１３を介して外部端末と通信を行うことが可能である。なお、図１及び図２では、電源供給部１２及びＵＳＢ  Ｉ／Ｆ１３はゴム製の蓋で覆われている。収容部２５は、電池４を収容可能な空間を形成する。印刷装置１は、電源供給部１２から供給される電源、又は、収容部２５に収容された電池４から供給される電源によって駆動可能である。又、印刷装置１は、電源供給部１２から供給される電源によって、収容部２５に収容された電池４を充電することもできる。本体固定部２８は、収容部２５に収容された電池４を保持し、本体部２から電池４が外れないようにする。なお、印刷装置１の右側面には、レバー２３、電源供給部１２、ＵＳＢ  Ｉ／Ｆ１３、及び収容部２５がまとめて配置されているので、ユーザは、レバー２３、電源供給部１２、ＵＳＢ  Ｉ／Ｆ１３、及び収容部２５を介して行う印刷装置１の操作を容易に行うことができる。
【００２３】
感熱ラベルへの印刷が行われる場合の概要を説明する。用紙ホルダ９にロールが保持され、蓋部３が閉じられる。印刷部２６Ｂと第１ローラ３２との間に、ロールから延びるテープが下方から上方に向けて挿通される。第１ローラ３２は所定の力で印刷部２６Ｂにテープを押し付ける。駆動部の動作に伴い第１ローラ３２が回転することによって、ロールからテープが順次繰り出され、下方から上方に向けて搬送される。同時に、印刷部２６Ｂの発熱素子が発熱する。これによって、感熱ラベルに文字や図形が印刷される。印刷後、テープは、台紙に感熱ラベルが貼付された状態で、排出口２６Ｃから外部に排出される。排出されたテープは、切断部２６Ａによって切断される。
【００２４】
なお、印刷装置１は、剥離機構５を用いることによって、印刷された感熱ラベルを台紙から剥離しながら、排出口２６Ｃから外部に排出させることもできる。詳細は後述する。以下、印刷された感熱ラベルが台紙に貼付された状態で外部に排出される動作モードを、通常モードという。印刷された感熱ラベルが台紙から剥離されながら収容部２４から排出される動作モードを、剥離モードという。
【００２５】
＜蓋部３、第１誘導部３３１、第２誘導部３３２＞
図３を参照し、蓋部３の詳細について説明する。蓋部３は、板状の第１部材３Ａ、第２部材３Ｂ、及び、一対の第３部材３Ｃを備える。第１部材３Ａは、支軸２９によって支持された部分から湾曲して延びる。第２部材３Ｂは、第１部材３Ａのうち支軸２９によって支持された側と反対側から、第１部材３Ａの湾曲中心に向けて直線状に延びる。一対の第３部材３Ｃは、第１部材３Ａ及び第２部材３Ｂとの左右両端に対向して設けられる。第１部材３Ａ及び第２部材３Ｂは、蓋部３が閉じた状態で、本体部２の収容部２４の上側の開口を覆う。一対の第３部材３Ｃは、蓋部３が閉じた状態で、本体部２の収容部２４の左右両側の開口を覆う。
【００２６】
以下、蓋部３が閉じた状態を例に挙げて説明する。一対の第３部材３Ｃは、第２部材３Ｂの前側で第１ローラ３２を左右両側から支持する。一対の第３部材３Ｃの夫々は、第１ローラ３２を支持する部分の近傍に第１誘導部３３１を備える。以下、左側の第３部材３Ｃが備える第１誘導部３３１について説明する。第１誘導部３３１は、棒状の移動部３３１Ａ、第１規制部３３１Ｂ、及び、第１付勢部３３１Ｃを備える。移動部３３１Ａは、第１ローラ３２の左端の上方を前後方向に直線状に延びる。第１規制部３３１Ｂは、移動部３３１Ａの後端から下方に向けて直線状に延びる。第１規制部３３１Ｂの下端は、前方に向けて僅かに突出する。第１規制部３３１Ｂの突出部分の先端は、後述する第２誘導部３３２の延設部３３２Ａの後端に後側から近接する。第１誘導部３３１は、前後方向に移動可能である。第１付勢部３３１Ｃは、第１規制部３３１Ｂの後側に設けられる。第１付勢部３３２Ｃは、第１誘導部３３１を前方に向けて付勢する圧縮ばねである。第１誘導部３３１は、左側の第３部材３Ｃの左面に設けられたレバー３１に接続する。レバー３１が後方に移動した場合、第１誘導部３３１は、第１付勢部３３１Ｃの付勢力に逆らって後方に移動する。この場合、第１規制部３３１Ｂの下端と、第２誘導部３３２の延設部３３２Ａとは離隔する。
【００２７】
なお、詳細な説明は省略するが、右側の第３部材３Ｃにも、上記と同一形状の第１誘導部３３１が設けられている。
【００２８】
第１ローラ３２の左右両側、且つ、一対の第３部材３Ｃの夫々の近傍に、第２誘導部３３２が設けられている。以下、第１ローラ３２の左側に設けられた第２誘導部３３２について説明する。第２誘導部３３２は、延設部３３２Ａ及び固定部３３２Ｂを有する。固定部３３２Ｂは、第１ローラ３２の左端の左側に設けられる。固定部３３２Ｂは、第１ローラ３２と略同一の断面形状を有する円柱形である。固定部３３２Ｂの軸心は、第１ローラ３２の回転軸の延長方向と同一方向に延びる。延設部３３２Ａは、固定部３３２Ｂの周壁の上側と後側との間から外側に延びる板状の部材である。延設部３３２Ａのうち固定部３３２Ｂと反対側の端部は、前方から後方に向けて斜め下方向に傾斜する。延設部３３２Ａの固定部３３２Ｂと反対側の端部のうち後方の端部は、第１誘導部３３１の第１規制部３３１Ｂの下端に近接する。
【００２９】
＜剥離機構５＞
図４から図７を参照し、剥離機構５の詳細について説明する。図４に示すように、剥離機構５は枠部５２を備える。枠部５２は、板状の第１部材５２１、一対の第２部材５２２、及び、第３部材５２５とを有する。第１部材５２１の形状は、左右方向に延びる長方形である。一対の第２部材５２２の夫々は、第１部材５２１の左右両側から下側に延びる。一対の第２部材５２２の夫々の前端部に、左右両側に向けて突出する円柱状の軸部５２３が設けられている。剥離機構５は、本体部２（図２参照）に軸部５２３で揺動可能に支持される。以下、第１部材５２１の面が水平に延びた状態に剥離機構５が揺動した場合（図１参照）を例に挙げて説明する。一対の第２部材５２２の夫々に、左右方向に貫通する長穴５２４が設けられている。長穴５２４は、一対の第２部材５２２の夫々の前端近傍から後端近傍まで前後方向に延びる。一対の第２部材５２２の夫々の後端近傍且つ長穴５２４の上側に、外側に突出する突起部５３が設けられている。図５に示すように、第３部材５２５は、第１部材５２１の下側に設けられている。第３部材５２５は、左右両端部で、後述する第２規制部５５及び第３規制部５６を支持する。第３部材５２５は、下方に突出する一対の固定部５７を有する。
【００３０】
図５及び図７に示すように、第１部材５２１の下側に一対の第２規制部５５が設けられる。一対の第２規制部５５の夫々は、板状の第１延設部５５１、及び、第２延設部５５２を備える。第１延設部５５１、及び、第２延設部５５２の平面は上下方向を向く。左側の第２規制部５５の第１延設部５５１は、第１部材５２１の前方左側の角、且つ、第１部材５２１から下側に離隔した位置で、第３部材５２５に固定されている。左側の第２規制部５５の第１延設部５５１は、左側の固定部５７の左側近傍まで右方水平方向に延びる。左側の第２規制部５５の第２延設部５５２は、第１延設部５５１の右端から後方斜め上方向に延び、先端で屈曲して後方斜め下方向に延びる。右側の第２規制部５５の第１延設部５５１は、第１部材５２１の前方右側の角、且つ、第１部材５２１から下側に離隔した位置で、第３部材５２５に固定されている。右側の第２規制部５５の第１延設部５５１は、右側の固定部５７の右側近傍まで左方水平方向に延びる。右側の第２規制部５５の第２延設部５５２は、第１延設部５５１の左端から後方斜め上方向に延び、先端で屈曲して後方斜め下方向に延びる。一対の第２規制部５５の夫々は、夫々の第２延設部５５２側が下方に移動する向きに弾性変形可能である。
【００３１】
第１部材５２１の下側に、一対の第３規制部５６が更に設けられる。一対の第３規制部５６の夫々は、板状の第１延設部５６１、第２延設部５６２、及び第３延設部５６３を備える。第１延設部５６１、第２延設部５６２、及び第３延設部５６３の平面は、左右方向を向く。左側の第３規制部５６は、枠部５２の左側の第２部材５２２の右側に配置され、右側の第３規制部５６は、枠部５２の右側の第２部材５２２の左側に配置される。
【００３２】
左側の第３規制部５６の第１延設部５６１は、第１部材５２１の前方左側の角、且つ、左側の第２規制部５５の左端の上側近傍から右斜め後方に延びる。左側の第３規制部５６の第２延設部５６２は、第１延設部５６１の後端から左斜め後方に延びる。左側の第３規制部５６の第３延設部５６３は、第２延設部５６２の後端から右斜め後方に延びる。左側の第３規制部５６の第２延設部５６２と第３延設部５６３との接合部分は、後述する一対の第２部材５４２（図６、図７参照）のうち左側に近接する。右側の第３規制部５６の第１延設部５６１は、第１部材５２１の前方右側の角、且つ、右側の第２規制部５５の右端の上側近傍から左斜め後方に延びる。左側の第３規制部５６の第２延設部５６２は、第１延設部５６１の後端から右斜め後方に延びる。左側の第３規制部５６の第３延設部５６３は、第２延設部５６２の後端から左斜め後方に延びる。右側の第３規制部５６の第２延設部５６２と第３延設部５６３との接合部分は、後述する一対の第２部材５４２のうち右側に近接する。一対の第３規制部５６の夫々は、第２延設部５６２及び第３延設部５６３側が左右内側に移動する向きに弾性変形可能である。
【００３３】
図４及び図６に示すように、剥離機構５は、支持部５４を更に備える。支持部５４は、第１部材５４１、一対の第２部材５４２、及び第３部材５４３を備える。第１部材５４１は左右方向に延びる。第１部材５４１の左右方向の長さは、枠部５２の第１部材５２１の左右方向の長さよりも僅かに短い。第１部材５４１の下側には、左右方向に延び且つ下側が開口した空間が形成される。図５及び図７示すように、第１部材５４１の下側の空間に第２ローラ５１が設けられる。第２ローラ５１は円柱状であり、左右方向に延びる。第２ローラ５１の左右両端は、第１部材５４１によって回転可能に支持されている。
【００３４】
一対の第２部材５４２は、第１部材５４１の左右両端から前側に延びる板状部材である。一対の第２部材５４２の前後方向の長さは、枠部５２の一対の第２部材５２２の前後方向の長さと略同一である。左側の第２部材５４２の少なくとも一部は、左側の第２部材５２２と、左側の第３規制部５６との間に配置される。右側の第２部材５４２の少なくとも一部は、右側の第２部材５２２と、右側の第３規制部５６との間に配置される。一対の第２部材５４２の夫々の外側面の前端部に、左右外側に突出する図示外の突出部が設けられる。夫々の突出部は、枠部５２の一対の第２部材５２２の夫々の長穴５２４に内側から挿通する。２つの突出部の夫々は、長穴５２４に沿って前後方向に移動可能である。これによって支持部５４は、枠部５２の第１部材５２１及び一対の第２部材５２２で囲まれた空間内に配置された状態（図４、図５参照）と、空間の後側に配置された状態（図６、図７参照）とに移動可能である。一対の第２部材５４２の夫々の後端に、左右内側に突出する突出部５４２Ａ（図７参照）が設けられている。
【００３５】
第３部材５４３は、一対の第２部材５４２の夫々の前後方向略中央よりも後側の部分の間に架設される。第１部材５４１、一対の第２部材５４２、及び第３部材５４３は、内側に開口を形成する。
【００３６】
図５に示すように、枠部５２の第１部材５２１及び一対の第２部材５２２で囲まれた空間内に支持部５４が配置された場合、一対の第２規制部５５の夫々の第２延設部５５２は、支持部５４の第１部材５４１、一対の第２部材５４２、及び第３部材５４３の内側の開口を下側から上側に通過する。夫々の第２延設部５５２は、支持部５４の第３部材５４３の後端に接触し、第３部材５４３が後方に移動することを規制する。これによって、支持部５４の後方への移動は規制される。
【００３７】
以下、一対の第２規制部５５の夫々の第２延設部５５２が支持部５４の第３部材５４３の後端に接触した状態（図４、図５で示される状態）を、収容状態という。収容状態において、軸部５２３と第２ローラ５１との間の距離を、第２距離という。詳細には、第２距離は、軸部５２３の軸線及び第２ローラ５１の軸線の双方に直交する方向を直交方向と定義した場合、軸部５２３の軸線を通る仮想線と、第２ローラ５１の軸線を通る仮想線との間の直交方向の距離を示す。
【００３８】
一方、一対の第２規制部５５の夫々を弾性変形させ、夫々の第２延設部５５２を下方に移動させた場合、夫々の第２延設部５５２の後側に支持部５４の第３部材５４３を移動させることが可能となる。これによって、支持部５４は後方に移動可能となる。収容状態の支持部５４を後方に移動させ、夫々の第２延設部５５２の後側に支持部５４の第３部材５４３が配置された場合を例に挙げる。この場合、左側の第２部材５４２の突出部５４２Ａは、左側の第３規制部５６の第１延設部５６１と第２延設部５６２との接合部分の左側に配置される。又、右側の第２部材５４２の突出部５４２Ａは、右側の第３規制部５６の第１延設部５６１と第２延設部５６２との接合部分の右側に配置される。この状態から支持部５４が後方に更に移動した場合、第２延設部５６２が突出部５４２Ａに接触し、突出部５４２Ａが後方に移動することを規制する。これによって、支持部５４の後方への移動は規制される。以下、第３規制部５６の第２延設部５６２によって突出部５４２Ａの後方への移動が規制された状態を、中間状態という。
【００３９】
一方、第３規制部５６を弾性変形させ、第２延設部５６２及び第３延設部５６３を左右内側に移動させた場合、夫々の第２延設部５６２及び第３延設部５６３の接合部分の後側に突出部５４２Ａを移動させることが可能となる。これによって、支持部５４は後方に移動可能となる。中間状態の支持部５４を後方に移動させ、夫々の第２延設部５６２及び第３延設部５６３の接合部分の後側に突出部５４２Ａが配置された場合を例に挙げる。この場合、図７に示すように、左側の第２部材５４２の突出部５４２Ａは、左側の第３規制部５６の第２延設部５６２と第３延設部５６３との接合部分の後側に配置される。又、右側の第２部材５４２の突出部５４２Ａは、右側の第３規制部５６の第２延設部５６２と第３延設部５６３との接合部分の後側に配置される。夫々の第３延設部５６３は突出部５４２Ａに接触し、突出部５４２Ａが前方に移動することを規制する。これによって、支持部５４の前方への移動は規制される。
【００４０】
以下、第３規制部５６の第３延設部５６３によって突出部５４２Ａの前方への移動が規制された状態（図６、図７で示される状態）を、突出状態という。突出状態において、軸部５２３と第２ローラ５１との間の距離を、第１距離という。第１距離は、第２距離よりも長くなる。
【００４１】
＜保持機構７＞
図８から図１３を参照し、保持機構７について説明する。保持機構７は、剥離機構５を移動可能に保持する。保持機構７は、一対の軸支持部７１、一対の第２付勢部７２、一対の固定部７３、及び、一対の支持部７４等を備える。
【００４２】
図８に示すように、一対の軸支持部７１は、剥離機構５の左右両側に設けられる。図９に示すように、一対の軸支持部７１の夫々は、前後方向に延びる溝７１Ａを左右内側に有する。剥離機構５の枠部５２の左側に設けられた軸部５２３は、左側の軸支持部７１の溝７１Ａに挿通し、剥離機構５の枠部５２の右側に設けられた軸部５２３は、右側の軸支持部７１の溝７１Ａに挿通する。剥離機構５は、一対の軸支持部７１の夫々の溝７１Ａに沿って軸部５２３が移動することによって、前後方向に移動可能である。又、剥離機構５は、一対の軸支持部７１の夫々の溝７１Ａが軸部５２３を揺動可能に支持することによって、前端を支点として後端を揺動させることが可能である。なお、詳細は後述するが、剥離機構５の後端を揺動させるときには、剥離機構５の前端の前方に、前端が自由に回動可能な空間が必要となる。
【００４３】
図９に示すように、一対の第２付勢部７２、一対の固定部７３、及び、一対の支持部７４は、剥離機構５の下側に設けられる。一対の第２付勢部７２は板状である。一対の第２付勢部７２は、剥離機構５の下側に設けられた台座７５に下端が固定されている。左側の第２付勢部７２は、左側の軸支持部７１の下方且つ内側から、後斜め上方に延びる。右側の第２付勢部７２は、右側の軸支持部７１の下方且つ内側から、後斜め上方に延びる。図１１に示すように、一対の第２付勢部７２の夫々の上端は、剥離機構５の第３部材５２５の下面の後端部に接触する。一対の第２付勢部７２の夫々は、剥離機構５の後端部を上向きに付勢する。
【００４４】
図８から図１０に示すように、一対の支持部７４は、平面部と湾曲部を上面に有する直方体状である。左側の支持部７４は、左側の第２付勢部７２の右側に設けられ、右側の支持部７４は、右側の第２付勢部７２の左側に設けられる。図８、図１０から図１２に示すように、一対の支持部７４の夫々の上面は、剥離機構５の第３部材５２５の下面の前端部に接触する。
【００４５】
図９及び図１０に示すように、一対の固定部７３は板状である。左側の固定部７３は、左側の支持部７４の右側から後斜め上方に延び、上端で屈曲し、後斜め下方に延びる。右側の固定部７３は、右側の支持部７４の左側から後斜め上方に延び、上端で屈曲し、後斜め下方に延びる。一対の固定部７３の夫々は、下側に移動する向きに弾性変形可能である。
【００４６】
図１０に示すように、軸支持部７１の溝７１Ａに沿って軸部５２３が移動することによって剥離機構５が前方に移動した場合、一対の固定部７３の夫々の上端部分は、枠部５２のうち下方に突出する一対の固定部５７の夫々の後側に配置し、一対の固定部５７の夫々に後側から接触する。一対の固定部７３の夫々は、一対の固定部５７の夫々の後方への移動を規制する。剥離機構５は、本体部２の傾斜部２Ａ（図１参照）の後端に、剥離機構５の前端が接触するまで移動した状態で保持される（図１参照）。なお、剥離機構５は揺動可能であり、且つ、一対の第２付勢部７２によって後端部が上向きに付勢されている。しかし、傾斜部２Ａの後端と剥離機構５の前端とが接触した状態で剥離機構５が保持されるため、傾斜部２Ａと剥離機構５との間に空間が形成されない。従って、剥離機構５の前端の回動は傾斜部２Ａによって抑制されるので、剥離機構５は、枠部５２の第１部材５２１が水平な状態で保持される。図１１に示すように、剥離機構５の前方下側の角は、一対の支持部７４の湾曲部の前側に接触する。
【００４７】
なお、剥離機構の枠部５２の第１部材５２１が水平な状態で保持された状態で、ユーザは、剥離機構５を収容状態から中間状態を経て突出状態に容易に切り替えることができない。理由は、ユーザは、この状態で剥離機構５の支持部５４を指でつまむことが容易でないので、枠部５２から支持部５４を容易に引き出すことができないためである。以下、収容状態の剥離機構５が前側に移動した状態（図１、図１０参照）を、第４状態という。
【００４８】
一方、一対の固定部７３の夫々が下側に移動する向きに弾性変形することによって、剥離機構５は前後方向に移動可能となる。図１２に示すように、軸支持部７１の溝７１Ａに沿って軸部５２３が移動して剥離機構５が後方に移動した場合、一対の固定部７３の夫々の上端部分は、枠部５２のうち下方に突出する一対の固定部５７の夫々の前側に配置する。一対の固定部７３の夫々は、一対の固定部５７の夫々に前側から接触する。一対の固定部７３の夫々は、一対の固定部５７の夫々の前方への移動を規制する。剥離機構５は、本体部２の傾斜部２Ａ（図１参照）の後端と、剥離機構５の前端との間に空間が形成された状態で保持される。なお、剥離機構５は揺動可能であり、且つ、一対の第２付勢部７２によって後端部が上向きに付勢されている。従って、第４状態と異なり、剥離機構５の前端は回動可能な状態になる。従って、図１３に示すように、剥離機構５は、前端を支点として後端が上側に揺動する。剥離機構５が揺動する場合、剥離機構５の前方下側の角は、一対の支持部７４の上面の湾曲部に沿って、前側から後方に移動する。
【００４９】
剥離機構５の後方が上側に揺動した状態で、ユーザは、剥離機構５を収容状態から中間状態を経て突出状態に容易に切り替えることができる。理由は、ユーザは、剥離機構５の支持部５４の下側に指を引っ掛けて、枠部５２から支持部５４を引き出すことができるためである。以下、突出状態の剥離機構５が後端を上側に揺動させた状態（図２参照）を、第１状態という。
【００５０】
＜通常モードで印刷装置１を動作させる場合の手順＞
図１４、図１５を参照し、印刷装置１を通常モードで動作させる場合の手順について説明する。ユーザは、レバー２３を下方に押し下げ、係合部２４１（図２参照）から被係合部３２１（図２参照）を脱離させる。蓋部３は、付勢部２９Ａ（図２参照）の付勢力によって開く。ユーザは、用紙ホルダ９（図２参照）にロールを装着する。
【００５１】
ユーザは、剥離機構５の支持部５４を枠部５２側に押し込む。剥離機構５は収容状態となる。一対の第２規制部５５（図５参照）の夫々は、支持部５４の第３部材５４３（図５参照）の後側に接触し、支持部５４の後方への移動を規制する。次いでユーザは、剥離機構５の後端を下側に揺動させ、枠部５２の第１部材５２１を水平にした状態で、剥離機構５を前側に移動させる。剥離機構５の前端は、本体部２の傾斜部２Ａの後端に接触する。一対の固定部７３（図１０参照）は、枠部５２の一対の固定部５７（図１０参照）の夫々の後側に接触し、剥離機構５の後方への移動を規制する。剥離機構５は第４状態で保持される。
【００５２】
ユーザは、ロールから延びるテープのうち先端部分の台紙を、切断部２６Ａ及び印刷部２６Ｂ（図２参照）の後方に配置させた状態で、蓋部３を閉じる。図１４に示すように、蓋部３が閉じる過程で、剥離機構５の支持部５４の突起部５３（図４参照）は蓋部３の第１誘導部３３１に接触しない。従って、剥離機構５は第１誘導部３３１の移動部３３１Ａによって移動しない。図１５に示すように、蓋部３が閉じた場合、係合部２４１が被係合部３２１に係合する。蓋部３は閉じた状態で保持される。
【００５３】
以下、蓋部３を閉じた場合における軸部５２３と第１ローラ３２との間の距離を、第３距離という。詳細には、第３距離は、軸部５２３の軸線及び第１ローラ３２の軸線の双方に直交する方向を直交方向と定義した場合、軸部５２３の軸線を通る仮想線と、第１ローラ３２の軸線を通る仮想線との間の直交方向の距離を示す。第３距離は、収容状態における軸部５２３と第１ローラ３２との間の距離（第２距離）よりも大きく、突出状態における軸部５２３と第１ローラ３２との間の距離（第１距離）と略同一となる。なお、詳細には、第３距離は、第１距離よりも僅かに小さい。従って、第４状態において第１ローラ３２と第２ローラ５１（図５参照）とは離隔する。
【００５４】
ユーザはスイッチ２２を押下する。印刷部２６Ｂによる印刷が開始される。駆動部がギア７６、３６（図８、図９参照）を回転させることに応じて、第１ローラ３２は回転する。第１ローラ３２は、印刷された感熱ラベルを含むテープを排出口２６Ｃから排出する。なお、排出されたテープに第２ローラ５１は接触しないので、テープは延伸した状態で上方に排出される。このため、印刷された感熱ラベルは台紙に貼付された状態で排出される。
【００５５】
＜剥離モードで印刷装置１を動作させる場合の手順＞
図１６、図１７を参照し、印刷装置１を剥離モードで動作させる場合の手順について説明する。用紙ホルダ９にロールが装着されるまでの手順は、通常モードの場合と同一であるので、説明を省略する。ユーザは、第４状態の剥離機構５を後側に移動させる。一対の固定部７３（図１２参照）の夫々は弾性変形し、枠部５２の一対の固定部５７（図１２参照）の夫々の前側に移動する。一対の固定部７３の夫々は、一対の固定部５７の夫々の前側に接触し、剥離機構５の前方への移動を規制する。本体部２の傾斜部２Ａ（図１参照）の後端と、剥離機構５の前端との間に空間が形成される。剥離機構５の前端は、軸部５２３を支点として回動可能な状態になる。剥離機構５は、一対の第２付勢部７２の夫々の付勢力によって揺動し、剥離機構５の後端は上側に移動する（図１３参照）。
【００５６】
ユーザは、剥離機構５の支持部５４に対して、枠部５２から引き出す向きに力を加える。一対の第２規制部５５（図５参照）の夫々は下側に弾性変形する。一対の第２規制部５５（図５参照）の夫々は、支持部５４の第３部材５４３の後側から前側に移動する。又、支持部５４の第２部材５４２の突出部５４２Ａ（図７参照）は、一対の第３規制部５６（図７参照）の夫々の第１延設部５６１及び第２延設部５６２の接合部分の左右外側まで移動する。剥離機構５は、収容状態から中間状態に切り替わる。
【００５７】
ユーザは、剥離機構５の支持部５４に対して、枠部５２から引き出す向きに更に力を加える。一対の第３規制部５６の夫々は左右内側に弾性変形する。突出部５４２Ａ（図７参照）は、一対の第３規制部５６の夫々の第２延設部５６２と第３延設部５６３の接合部分の後側まで移動する。剥離機構５は、中間状態から突出状態に切り替わる。夫々の第３延設部５６３は突出部５４２Ａに接触し、支持部５４の前方への移動を規制する。剥離機構５は第１状態で保持される。
【００５８】
ユーザは、切断部２６Ａ及び印刷部２６Ｂ（図２参照）の後方、且つ、剥離機構５の支持部５４に支持された第２ローラ５１の下側に、ロールから延びるテープのうち先端部分の台紙を配置させる。ユーザは、この状態で蓋部３を閉じる操作を行う。図１６に示すように、蓋部３が閉じる過程で、蓋部３の第１誘導部３３１（図３参照）の移動部３３１Ａ（図３参照）の下側に、剥離機構５の一対の支持部５４の夫々の突起部５３（図４参照）が接触する。蓋部３が徐々に閉じるに従って、突起部５３は移動部３３１Ａの下側に沿って後方に移動する。これによって剥離機構５は、一対の第２付勢部７２の付勢力に逆らって、前端の軸部５２３を支点として後端を下側に揺動させる。支持部５４の第１部材５４１に支持された第２ローラ５１（図７参照）は下方に移動し、蓋部３に支持された第１ローラ３２（図１７参照）に上側から徐々に近接する。
【００５９】
蓋部３が閉じた場合、係合部２４１が被係合部３２１に係合し、蓋部３は閉じた状態で保持される。剥離機構５は、枠部５２の第１部材５２１が水平になる状態まで揺動する。剥離機構５の支持部５４は、枠部５２から後方水平方向に突出した状態になる。支持部５４に支持された第２ローラ５１は、蓋部３に支持された第１ローラ３２の後方斜め上側に配置する。第１ローラ３２と第２ローラ５１とは、間に僅かな隙間が設けられた状態で近接する。以下、蓋部３の閉じる動作に応じて、突出状態の剥離機構５が後端を下側に揺動させた後の状態であって、枠部５２から支持部５４が後方水平方向に突出した状態を、第２状態という。
【００６０】
ユーザは、第２状態の剥離機構５の支持部５４を、蓋部３の第２部材３Ｂの上側に向けて押し下げる。剥離機構５は、後端を第２状態から更に下側に揺動させる。剥離機構５の一対の支持部５４の夫々の突起部５３（図４参照）は、蓋部３の第２誘導部３３２（図３参照）の延設部３３２Ａ（図３参照）に上側から接触する。夫々の突起部５３は、延設部３３２Ａの端部に沿って、後方斜め下側に移動する。夫々の突起部５３は、第１誘導部３３１の第１規制部３３１Ｂ（図３参照）に接触する位置まで移動し、第１規制部３３１Ｂを後方に押す。第１誘導部３３１は、第１付勢部３３１Ｃの付勢力に逆らって後方に移動する。夫々の突起部５３は、第１規制部３３１Ｂの下方まで移動する。移動後、夫々の突起部５３が第１規制部３３１Ｂから離隔した場合、第１誘導部３３１は第１付勢部３３１Ｃの付勢力によって前方に移動する。第１規制部３３１Ｂの下端は、夫々の突起部５３に上側から接触し、剥離機構５の上方への移動を規制する。
【００６１】
なお、蓋部３を閉じた場合における軸部５２３と第１ローラ３２との間の距離（第３距離）は、突出状態における軸部５２３と第１ローラ３２との間の距離（第１距離）と略同一である。なお、詳細には、第３距離は、第１距離よりも僅かに小さいが、双方の距離の差は小さいので、夫々の突起部５３が第１規制部３３１Ｂの下側まで移動した状態で、第２ローラ５１は、第１ローラ３２の上方斜め後側に接触する。第１ローラ３２と第２ローラ５１との間に台紙のみが挟まれる。以下、ユーザが剥離機構５の支持部５４を下側に押し込む操作に応じて、突出状態の剥離機構５が後端を第２状態から更に下側に揺動させた後の状態であって、第１ローラ３２と第２ローラ５１とが接触した状態を、第３状態という。
【００６２】
ユーザはスイッチ２２を押下する。印刷部２６Ｂによる印刷が開始される。駆動部がギア７６、３６（図８、図９参照）を回転させることに応じて、第１ローラ３２は回転し、印刷された感熱ラベルを含むテープを排出口２６Ｃから排出する。なお、第２ローラ５１は第１ローラ３２との間に台紙を挟み、台紙を後方に屈曲させて後方に排出させる。これによって、台紙に貼付された状態で印刷された感熱ラベルは、台紙から剥離され、排出口２６Ｃから上側に排出される。
【００６３】
剥離モードで動作中の印刷装置１の蓋部３を開ける手順について説明する。ユーザは、レバー３１を後方に移動させる。レバー３１の移動に応じ、蓋部３の第１誘導部３３１のは後方に移動する。第１規制部３３１Ｂは、剥離機構５の突起部５３から離隔する。剥離機構５は、後端が上方に移動する向きに揺動可能となる。なお剥離機構５には、一対の第２付勢部７２によって後端に上向きの付勢力が作用している。従って剥離機構５は、レバー３１の後方への移動に応じ、後端が上方に移動する向きに揺動する。第１誘導部３３１の移動部３３１Ａに、剥離機構５の突起部５３が接触する。移動部３３１Ａが突起部５３の移動を規制することによって、剥離機構５の揺動は停止される。剥離機構５は、第３状態から第２状態に切り替わり、第２状態で保持される。
【００６４】
ユーザは、レバー２３を下方に押し下げる。レバー２３が押し下げられたことに応じ、一対の係合部２４１は、第１延設部の上端が後方に移動する向きに揺動する。これによって、一対の係合部２４１から一対の被係合部３２１が外れる。なお蓋部３には、付勢部２９Ａ（図２参照）によって、閉じた状態から開いた状態に向けて付勢が作用している。従って蓋部３は、レバー２３が下方に押し下げられたことに応じ、閉じた状態から開いた状態に変化する。
【００６５】
蓋部３が開いたことに応じ、移動部３３１Ａは突起部５３から離隔する。剥離機構５は、一対の第２付勢部７２によって、後端が上方に移動する向きに揺動する。剥離機構５は、第２状態から第１状態に切り替わる。
【００６６】
以上説明したように、印刷装置１の剥離機構５は、蓋部３を閉じる動作に応じて第１状態から第２状態に切り替わる。第２状態において剥離機構５は、支持部５４が後方水平方向に延びた状態になる。剥離機構５は、支持部５４を下方に押し下げることで第３状態に切り替えることが可能な状態になる。このためユーザは、蓋部３を閉じる操作を行うと同時に、剥離機構５を、第２状態から第３状態に容易に切り替え可能な状態とすることができる。印刷装置１は、第３状態で印刷が行われた場合、台紙から感熱ラベルを剥離させながら、感熱ラベルを排出させる。従ってユーザは、蓋部３を閉じる操作を行うことによって、印刷装置１の状態を、剥離モードに容易に切り替え可能な状態とすることができる。又、剥離機構５が第３状態に切り替えられた場合、第１規制部３３１Ｂが突起部５３の移動を規制することによって、第２状態に戻ることが抑制される。従って、剥離機構５は、印刷装置１を剥離モードで安定的に動作させることができる。
【００６７】
第１誘導部３３１の第１規制部３３１Ｂは、第１付勢部３３１Ｃの付勢力に応じて前側に移動し、突起部５３の移動を規制する。従って第１規制部３３１Ｂは、突起部５３の移動を適切に規制できる。又、ユーザは、第１付勢部３３１Ｃの付勢力に逆らって第１規制部３３１Ｂを後方に移動させることによって、第１規制部３３１Ｂによる突起部５３の移動の規制を解除できる。これによってユーザは、剥離機構５を第３状態から第２状態に容易に切り替えることができるので、印刷装置１の動作モードを容易に切り替えることができる。
【００６８】
第２誘導部３３２の延設部３３２Ａは、ユーザによって支持部５４が押し下げられたときに、突起部５３を後方斜め下側に誘導する。従ってユーザは、印刷装置１の状態を、第２状態から第３状態に容易に切り替えることができる。
【００６９】
一対の第２付勢部７２は、剥離機構５の後端が上側に移動する向きに付勢力を作用させる。ユーザが第１規制部３３１Ｂによる突起部５３の移動の規制を解除する操作を行った場合、剥離機構５は自動的に揺動し、後端は上側に移動する。このためユーザは、剥離機構５を第３状態から第２状態に容易に切り替えることができる。又、ユーザが蓋部３を開く操作を行った場合、剥離機構５は自動的に揺動し、後端は更に上側に移動する。このためユーザは、剥離機構５を第２状態から第１状態に容易に切り替えることができる。結果、ユーザは、印刷装置１の動作モードを通常モード又は剥離モードに容易に切り替えることができる。
【００７０】
この場合、ユーザは、固定部によって剥離機構５を第４状態に固定させることによって、ラベルから台紙が剥離されない状態で排出される動作モードで印刷装置を動作させることができる。
【００７１】
剥離機構５が第４状態である場合、剥離機構５は収容状態となっており、軸部５２３と第２ローラ５１との間の距離は第２距離になる。この場合、ユーザが蓋部３を閉じる操作を行っても、剥離機構５は移動せず、第１ローラ３２と第２ローラ５１は接触しない。このためユーザは、剥離機構５を第４状態とすることによって、第１ローラ３２に第２ローラ５１が接触しないように配置させることができる。従ってユーザは、剥離機構５を第４状態とすることによって、印刷装置１を通常モードで動作させることができる。
【００７２】
剥離機構５の第２規制部５５は、支持部５４が収容状態から中間状態に切り替わることを規制できる。又、第３規制部５６は、支持部５４が突出状態から中間状態に切り替わることを規制できる。このため印刷装置１、通常モード又は剥離モードで安定的に動作できる。第２規制部５５及び第３規制部５６は、印刷装置１の動作モードが不意に切り替わることを抑制できる。
【００７３】
なお、本発明は上記実施形態に限定されず、種々の変更が可能である。上記の一対の第１誘導部３３１の夫々の移動部３３１Ａは、突起部５３が通過する溝を有していてもよい。夫々の移動部３３１Ａは、蓋部３が閉じるときに、一対の突起部５３の夫々を溝に沿って移動させることによって、剥離機構５を第１状態から第２状態に切り替えてもよい。第１規制部３３１Ｂは、一対の突起部５３の夫々を係止可能な形状（例えば、下端が開口した凹部）を下端に有していてもよい。一対の第１規制部３３１Ｂの夫々は、揺動することによって、一対の突起部５３の夫々の移動を規制する状態と規制しない状態とに切り替わってもよい。移動部３３１Ａ及び第１規制部３３１Ｂは、別の部材であってもよい。この場合、移動部３３１Ａは、蓋部３の一部であってもよい。第１規制部３３１Ｂのみが前後方向に移動可能に設けられていてもよい。第１付勢部３３１Ｃは、第１規制部３３１Ｂを前方に付勢してもよい。第１誘導部３３１は、蓋部３の左側及び右側のうち一方にのみ設けられてもよい。
【００７４】
一対の第２誘導部３３２は、突起部５３が通過する溝を有してもよい。夫々の第２誘導部３３２は、ユーザによって支持部５４が下方に押し込まれたときに、一対の突起部５３の夫々を溝に沿って移動させることによって、剥離機構５を第２状態から第３状態に切り替えてもよい。第２誘導部３３２は、第１ローラ３２の左右両側の部分であってもよい。第１規制部３３１Ｂとの代わりに、一対の突起部５３の夫々の上方への移動を規制する規制部が一対の第２誘導部３３２の夫々の下端に設けられてもよい。第２誘導部３３２は、蓋部３の左側及び右側のうち一方にのみ設けられてもよい。
【００７５】
一対の第２付勢部７２は、剥離機構５の後端に対して上方に付勢力を作用させるばねであってもよい。１つの第２付勢部７２が、剥離機構５の下側且つ左右略中央に設けられてもよい。一対の第２付勢部７２は設けられていなくてもよい。この場合、ユーザは、剥離機構５の後端を手動で上方に持ち上げてもよい。
【００７６】
一対の固定部７３が剥離機構５に設けられ、一対の固定部５７が本体部２の台座７５に設けられてもよい。一対の固定部５７、７３は、一対の軸支持部７１の夫々の溝７１Ａ内に設けられてもよい。この場合、一対の固定部５７、７３は、溝７１Ａ内に設けられた段差であってもよい。一対の固定部５７、７３は設けられていなくてもよい。
【００７７】
剥離機構５は、一対の軸部５２３の代わりに、前後方向に延びる溝を左右両側に有していてもよい。この場合、一対の軸支持部７１は、左右内側に延びる軸部を有してもよい。剥離機構５は、左右両側の溝に沿って、軸支持部７１の軸部を相対移動させることによって、前後方向に移動可能に構成されてもよい。蓋部３を閉じた状態における軸部５２３と第１ローラ３２との間の距離（第３距離）と、突出状態における一対の軸部５２３と第２ローラ５１との間の距離（第１距離）とは、同一であってもよい。又、蓋部３を閉じた状態における軸部５２３と第１ローラ３２との間の距離（第３距離）と、突出状態における一対の軸部５２３と第２ローラ５１との間の距離（第１距離）とは、第１ローラ３２と第２ローラ５１との夫々の半径を加算した長さ分異なっていてもよい。この場合でも、剥離機構５を第３状態とした場合に、第１ローラ３２と第２ローラ５１とを接触させることができる。
【００７８】
一対の第２規制部５５の夫々の形状は変更できる。第２規制部５５は、左側及び右側の何れか一方のみであってもよい。一対の第３規制部５６の夫々の形状は変更できる。第３規制部５６は、左側及び右側の何れか一方のみであってもよい。第２規制部５５及び第３規制部５６は一体となって形状されていてもよい。
【符号の説明】
【００７９】
１        印刷装置
２        本体部
３        蓋部
４        電池
５        剥離機構
７        保持機構
９        用紙ホルダ
２４      収容部
２８      本体固定部
３２      第１ローラ
５１      第２ローラ
５２      枠部
５３      突起部
５４      支持部
５５      第２規制部
５６      第３規制部
５７      固定部
７２      第２付勢部
７３      固定部
３３１    第１誘導部
３３１Ａ  移動部
３３１Ｂ  第１規制部
３３１Ｃ  第１付勢部
３３２    第２誘導部
３３２Ａ  延設部
３３２Ｂ  固定部
３３２Ｃ  第１付勢部
５２３    軸部
５４１    第１部材
５４２    第２部材
５４２Ａ  突出部
【図１】
2015160662.tif 000003
【図２】
2015160662.tif 000004
【図３】
2015160662.tif 000005
【図４】
2015160662.tif 000006
【図５】
2015160662.tif 000007
【図６】
2015160662.tif 000008
【図７】
2015160662.tif 000009
【図８】
2015160662.tif 000010
【図９】
2015160662.tif 000011
【図１０】
2015160662.tif 000012
【図１１】
2015160662.tif 000013
【図１２】
2015160662.tif 000014
【図１３】
2015160662.tif 000015
【図１４】
2015160662.tif 000016
【図１５】
2015160662.tif 000017
【図１６】
2015160662.tif 000018
【図１７】
2015160662.tif 000019
【手続補正書】
【提出日】平成26年5月16日(2014.5.16)
【手続補正１】
【補正対象書類名】明細書
【補正対象項目名】全文
【補正方法】変更
【補正の内容】
【発明の詳細な説明】
【技術分野】
【０００１】
本発明は、印刷されたラベルを台紙から剥離する剥離機構を備えた印刷装置に関する。
【背景技術】
【０００２】
印刷されたラベルが台紙に貼付された状態で排出される動作モードと、印刷されたラベルが台紙から剥離された状態で排出される動作モードとを切り替えることが可能な印刷装置が知られている。特許文献１は、通常発行状態と剥離発行状態とに切り替え可能なラベルプリンタを開示する。ラベルプリンタは、転向ローラとトーションバネとを有する剥離ユニットを備える。剥離ユニットは、通常発行状態でプラテンローラから転向ローラが離隔し、剥離発行状態でプラテンローラに転向ローラが接触するように移動可能である。剥離発行状態において、転向ローラはトーションバネの付勢力によってプラテンローラに押し付けられる。プラテンローラ及び転向ローラは、間に台紙を挟んだ状態で回転し、台紙のうちラベルが貼付されていない面が対向するように台紙を屈曲させる。これによって剥離ユニットは、印刷されたラベルを台紙から剥離させる。なお、印刷されたラベルを台紙から適切に剥離させるためには、転向ローラとプラテンローラとを適切に接触させることが好ましい。
【先行技術文献】
【特許文献】
【０００３】
【特許文献１】特開２００６−１５０８５８号公報
【発明の概要】
【発明が解決しようとする課題】
【０００４】
上記ラベルプリンタでは、転向ローラは、トーションバネの付勢力によってプラテンローラに押し付けられる。このため、転向ローラとプラテンローラとの接触が不十分になる場合がある。一方、転向ローラとプラテンローラとを適切に接触させるためにトーションバネの付勢力を強くした場合、ユーザは、動作モードを切り替える操作を容易に行うことができなくなる場合がある。その理由は、ユーザが動作モードを剥離発行状態から通常発行状態に切り替える場合、トーションバネの付勢力に逆らって転向ローラをプラテンローラから離隔させるために強い力が必要となるためである。このように、上記ラベルプリンタでは、印刷されたラベルを台紙から適切に剥離させることと、動作モードの切り替えとを両立させることが難しい。
【０００５】
本発明の目的は、ラベルが台紙から剥離された状態で排出される動作モードに容易に切り替えることが可能であり、且つ、ラベルを台紙から適切に剥離させることが可能な印刷装置を提供することである。
【課題を解決するための手段】
【０００６】
本発明の印刷装置は、ラベルに印刷を行う印刷部と、前記ラベルが貼付された台紙が巻回されたロールを収容する収容部を開閉可能な蓋部と、前記蓋部に設けられた第１ローラと、第２ローラ及び突起部を少なくとも備えた機構であって、前記第１ローラから前記第２ローラが離隔した第１状態、前記第１ローラに前記第２ローラが近接した第２状態、及び、前記第１ローラに前記第２ローラが接触した第３状態に切り替え可能な剥離機構と、前記蓋部に設けられた部材であって、前記蓋部が開放した状態から閉塞した状態に変化することに応じて前記剥離機構の前記突起部を移動させることで、前記剥離機構を前記第１状態から前記第２状態に切り替える移動部と、前記剥離機構の前記突起部の移動を規制することで、前記剥離機構が前記第３状態から前記第２状態に切り替わることを規制することが可能な第１規制部とを有する第１誘導部とを備えている。
【０００７】
本発明によれば、剥離機構は、蓋部を閉じる動作に応じて第１状態から第２状態まで移動する。これによってユーザは、蓋部を閉じる操作を行うことによって、剥離機構を、第２状態から第３状態に容易に切り替えることが可能な状態とすることができる。従ってユーザは、蓋部を閉じる操作を行うことによって、印刷装置の状態を、印刷されたラベルが台紙から剥離されて排出されるモードに容易に切り替えることができる。又、第１規制部は、剥離機構が第３状態から第２状態に切り替わることを抑制できる。従って、剥離機構は、第３状態においてラベルを台紙から適切に剥離させることができる。
【０００８】
本発明において、前記第１規制部は、前記突起部の移動を規制する位置と規制しない位置との間で移動可能であり、前記蓋部は、前記突起部の移動を規制しない位置から規制する位置に向けて前記第１規制部を付勢する第１付勢部を更に備えてもよい。この場合、第１規制部は、第１付勢部によって、突起部の移動を規制する位置に移動する。従って第１規制部は、突起部の移動を適切に規制できる。又、ユーザは、第１付勢部の付勢力に逆らって、突起部の移動を規制しない位置に第１規制部を移動させることによって、第１規制部による突起部の移動の規制を解除できる。これによってユーザは、剥離機構を第３状態から第２状態に容易に切り替えることができる。
【０００９】
本発明において、前記剥離機構が前記第２状態から前記第３状態に切り替わるときに前記突起部を誘導する第２誘導部を備えてもよい。この場合、ユーザは、剥離機構を第２状態から第３状態に容易に切り替えることができる。
【００１０】
本発明において、前記剥離機構を、前記第３状態から前記第２状態を経て前記第１状態に向けて付勢する第２付勢部を備えてもよい。この場合、ユーザは、第１規制部による突起部の移動の規制を解除する操作を行うことによって、剥離機構を第３状態から第２状態に容易に切り替えることができる。又、ユーザは、蓋部を開放する操作を行うことによって剥離機構を第２状態から第１状態に容易に切り替えることができる。以上の結果、ユーザは、印刷装置の動作モードを容易に切り替えることができる。
【００１１】
本発明において、前記剥離機構は、前記移動部による移動が不可能な第４状態に更に切り替え可能であり、前記剥離機構を前記第４状態に固定する固定部を更に備えてもよい。この場合、ユーザは、固定部によって剥離機構を第４状態に固定させることによって、ラベルから台紙が剥離されない状態で排出される動作モードで印刷装置を安定的に動作させることができる。
【００１２】
本発明において、前記剥離機構は、軸部を有する枠部と、前記枠部に対して移動可能に設けられ、前記第２ローラを支持する部材であって、前記軸部と前記第２ローラとの間の距離を第１距離と、前記第１距離と異なる第２距離とに切り替え可能な支持部とを備え、前記蓋部が閉塞した状態における前記第１ローラと前記軸部との間の距離は、前記第１距離に略等しく、前記支持部を切り替えて前記軸部と前記第２ローラとの間の距離を第１距離とした場合、前記剥離機構は、前記軸部を支点として揺動することによって、前記第２状態から前記第３状態に切り替わってもよい。この場合、ユーザは、軸部と第２ローラとの間の距離が第２距離となるように支持部を切り替えることによって、第１ローラに第２ローラが接触しないように配置させることができる。従ってユーザは、軸部と第２ローラとの間の距離が第２距離となるように支持部を切り替えることによって、ラベルから台紙が剥離されない状態で排出される動作モードで印刷装置を安定的に動作させることができる。
【００１３】
本発明において、前記剥離機構は、前記軸部と前記第２ローラとの間の距離を前記第２距離とした状態で、前記支持部の移動を規制する第２規制部と、前記軸部と前記第２ローラとの間の距離を前記第１距離とした状態で、前記支持部の移動を規制する第３規制部とを備えてもよい。これによってユーザは、印刷装置の動作モードが、ラベルから台紙が剥離された状態で排出される動作モードと、ラベルから台紙が剥離されない状態で排出される動作モードとの間で不意に切り替わらないようにできる。
【図面の簡単な説明】
【００１４】
【図１】印刷装置１（蓋部３を閉じた状態）の斜視図である。
【図２】印刷装置１（蓋部３を開いた状態）の斜視図である。
【図３】蓋部３の斜視図である。
【図４】収容状態の剥離機構５を上側から見た斜視図である。
【図５】収容状態の剥離機構５を下側から見た斜視図である。
【図６】突出状態の剥離機構５を上側から見た斜視図である。
【図７】突出状態の剥離機構５を下側から見た斜視図である。
【図８】印刷装置１（蓋部３を開いた状態）の内部構成を示す斜視図である。
【図９】印刷装置１（蓋部３を開いた状態）の内部構成を示す斜視図である。
【図１０】印刷装置１の内部構成を示す斜視図である。
【図１１】図１のXI−XI線を矢印方向から見た断面図
【図１２】印刷装置１の内部構成を示す斜視図である。
【図１３】図２のXIII−XIII線を矢印方向から見た断面図
【図１４】印刷装置１（蓋部３を開いた状態）の斜視図である。
【図１５】印刷装置１（蓋部３を閉じた状態）の斜視図である。
【図１６】印刷装置１（蓋部３を開いた状態）の斜視図である。
【図１７】印刷装置１（蓋部３を閉じた状態）の斜視図である。
【発明を実施するための形態】
【００１５】
以下、本発明の実施形態について、図面を参照して説明する。印刷装置１は、ＵＳＢ（登録商標）ケーブルを介して外部端末（図示外）に接続可能である。印刷装置１は、外部端末から受信した印刷データに基づいて、印刷媒体に文字や図形等を印刷できる。印刷媒体は感熱ラベルである。外部端末は汎用のパーソナルコンピュータ（ＰＣ）である。図１の右下側、左上側、右上側、左下側、上側、及び下側を、夫々、印刷装置１の右側、左側、後側、前側、上側、及び下側と定義する。
【００１６】
＜印刷装置１の概要＞
図１、図２を参照し、印刷装置１の概要について説明する。印刷装置１は本体部２を備える。本体部２は、制御部（図示略）、印刷部２６Ｂ、駆動部（図示略）等を内部に備える。制御部は、印刷装置１全体を制御するＣＰＵを有する。印刷部２６Ｂは、感熱ラベルに印刷を行うことが可能なラインサーマルヘッドである。駆動部は、感熱ラベルを搬送するためのモータである。本体部２は、前方上側の傾斜部２Ａに表示部２１及びスイッチ２２を備える。本体部２は、傾斜部２Ａのうち表示部２１の後側に剥離機構５を備える。本体部２は、剥離機構５の後側に収容部２４を備える。本体部２は、右側に電源供給部１２、ＵＳＢ（登録商標）インタフェース（Ｉ／Ｆ）１３、レバー２３、収容部２５、本体固定部２８等を備える。
【００１７】
収容部２４は、感熱ラベルが貼付された台紙が巻回されたロール（図示略）を収容可能な空間を形成する。以下、台紙及び感熱ラベルを、テープという。収容部２４の左右両側及び上側は開口する。収容部２４内に用紙ホルダ９が固定されている。用紙ホルダ９は、ロールを保持するための部材である。収容部２４のうち前側の壁部の上端に切断部２６Ａが設けられ、切断部２６Ａの下側に印刷部２６Ｂが設けられている。切断部２６Ａは、テープのうち印刷された部分を切り離すことが可能な刃である。切断部２６Ａ及び印刷部２６Ｂは、左右方向に延びる。収容部２４の前側の壁部のうち左右両端部の夫々から後方に向けて、一対の係合部２４１の夫々が突出する。一対の係合部２４１の夫々は、上方に延びる第１延設部、及び、第１延設部の上端から前方に延びる第２延設部を備える。一対の係合部２４１の夫々は、下端を支軸として揺動可能である。一対の係合部２４１の夫々は、レバー２３が下方に押し下げられた場合、夫々の第１延設部の上端が後方に移動する向きに揺動する。
【００１８】
蓋部３は、収容部２４の後端に設けられた支軸２９に揺動可能に支持されている。蓋部３は、上側、右側、及び左側から収容部２４を覆う位置に揺動可能である。支軸２９に付勢部２９Ａが巻回されている。付勢部２９Ａはばねである。付勢部２９Ａは、蓋部３が収容部２４を覆った状態から、覆わない状態に向けて付勢する。以下、蓋部３が収容部２４を覆った状態を、蓋部３が閉じた状態といい、蓋部３が収容部２４を覆わない状態を、蓋部３が開いた状態という。
【００１９】
蓋部３は、支軸２９によって支持されている側と反対側の端部に、第１ローラ３２を回転可能に支持する。第１ローラ３２の回転軸は左右方向に延びている。第１ローラ３２の回転軸の左右端部から左右外側に向けて、一対の被係合部３２１が延びている。一対の被係合部３２１の夫々は円柱状である。左側の被係合部３２１の左側に、ギア３６が設けられている。一対の被係合部３２１の夫々は、蓋部３が閉じた状態で、一対の係合部２４１の夫々の第２延設部に係合する。この場合、蓋部３の閉じた状態から開いた状態に向かう揺動は、係合部２４１によって抑制され、閉じた状態が維持される。
【００２０】
蓋部３が閉じた状態で、印刷部２６Ｂと第１ローラ３２とは近接する。蓋部３が閉じた状態で、剥離機構５と第１ローラ３２との間に、テープが排出される排出口２６Ｃが形成される。蓋部３が閉じた状態で、ギア３６は、本体部２に設けられたギア７６（図８、図９参照）に噛み合う。ギア７６は、本体部２の駆動部に連結し、回転可能である。蓋部３が閉じた状態でギア７６が回転した場合、ギア３６及び第１ローラ３２は、ギア７６の回転に応じて回転する。
【００２１】
蓋部３が閉じた状態でレバー２３が下方に押し下げられた場合、係合部２４１の第２延設部から被係合部３２１が外れる。蓋部３は、付勢部２９Ａの付勢力によって、閉じた状態から開いた状態に向けて揺動する。
【００２２】
電源供給部１２は、ＡＣアダプタのプラグを差し込むための端子である。ＵＳＢ（登録商標）  Ｉ／Ｆ１３は、ＵＳＢケーブルのコネクタを差し込むための複数の端子である。印刷装置１は、ＵＳＢ  Ｉ／Ｆ１３を介して外部端末と通信を行うことが可能である。なお、図１及び図２では、電源供給部１２及びＵＳＢ  Ｉ／Ｆ１３はゴム製の蓋で覆われている。収容部２５は、電池４を収容可能な空間を形成する。印刷装置１は、電源供給部１２から供給される電源、又は、収容部２５に収容された電池４から供給される電源によって駆動可能である。又、印刷装置１は、電源供給部１２から供給される電源によって、収容部２５に収容された電池４を充電することもできる。本体固定部２８は、収容部２５に収容された電池４を保持し、本体部２から電池４が外れないようにする。なお、印刷装置１の右側面には、レバー２３、電源供給部１２、ＵＳＢ  Ｉ／Ｆ１３、及び収容部２５がまとめて配置されているので、ユーザは、レバー２３、電源供給部１２、ＵＳＢ  Ｉ／Ｆ１３、及び収容部２５を介して行う印刷装置１の操作を容易に行うことができる。
【００２３】
感熱ラベルへの印刷が行われる場合の概要を説明する。用紙ホルダ９にロールが保持され、蓋部３が閉じられる。印刷部２６Ｂと第１ローラ３２との間に、ロールから延びるテープが下方から上方に向けて挿通される。第１ローラ３２は所定の力で印刷部２６Ｂにテープを押し付ける。駆動部の動作に伴い第１ローラ３２が回転することによって、ロールからテープが順次繰り出され、下方から上方に向けて搬送される。同時に、印刷部２６Ｂの発熱素子が発熱する。これによって、感熱ラベルに文字や図形が印刷される。印刷後、テープは、台紙に感熱ラベルが貼付された状態で、排出口２６Ｃから外部に排出される。排出されたテープは、切断部２６Ａによって切断される。
【００２４】
なお、印刷装置１は、剥離機構５を用いることによって、印刷された感熱ラベルを台紙から剥離しながら、排出口２６Ｃから外部に排出させることもできる。詳細は後述する。以下、印刷された感熱ラベルが台紙に貼付された状態で外部に排出される動作モードを、通常モードという。印刷された感熱ラベルが台紙から剥離されながら収容部２４から排出される動作モードを、剥離モードという。
【００２５】
＜蓋部３、第１誘導部３３１、第２誘導部３３２＞
図３を参照し、蓋部３の詳細について説明する。蓋部３は、板状の第１部材３Ａ、第２部材３Ｂ、及び、一対の第３部材３Ｃを備える。第１部材３Ａは、支軸２９によって支持された部分から湾曲して延びる。第２部材３Ｂは、第１部材３Ａのうち支軸２９によって支持された側と反対側から、第１部材３Ａの湾曲中心に向けて直線状に延びる。一対の第３部材３Ｃは、第１部材３Ａ及び第２部材３Ｂとの左右両端に対向して設けられる。第１部材３Ａ及び第２部材３Ｂは、蓋部３が閉じた状態で、本体部２の収容部２４の上側の開口を覆う。一対の第３部材３Ｃは、蓋部３が閉じた状態で、本体部２の収容部２４の左右両側の開口を覆う。
【００２６】
以下、蓋部３が閉じた状態を例に挙げて説明する。一対の第３部材３Ｃは、第２部材３Ｂの前側で第１ローラ３２を左右両側から支持する。一対の第３部材３Ｃの夫々は、第１ローラ３２を支持する部分の近傍に第１誘導部３３１を備える。以下、左側の第３部材３Ｃが備える第１誘導部３３１について説明する。第１誘導部３３１は、棒状の移動部３３１Ａ、第１規制部３３１Ｂ、及び、第１付勢部３３１Ｃを備える。移動部３３１Ａは、第１ローラ３２の左端の上方を前後方向に直線状に延びる。第１規制部３３１Ｂは、移動部３３１Ａの後端から下方に向けて直線状に延びる。第１規制部３３１Ｂの下端は、前方に向けて僅かに突出する。第１規制部３３１Ｂの突出部分の先端は、後述する第２誘導部３３２の延設部３３２Ａの後端に後側から近接する。第１誘導部３３１は、前後方向に移動可能である。第１付勢部３３１Ｃは、第１規制部３３１Ｂの後側に設けられる。第１付勢部３３２Ｃは、第１誘導部３３１を前方に向けて付勢する圧縮ばねである。第１誘導部３３１は、左側の第３部材３Ｃの左面に設けられたレバー３１に接続する。レバー３１が後方に移動した場合、第１誘導部３３１は、第１付勢部３３１Ｃの付勢力に逆らって後方に移動する。この場合、第１規制部３３１Ｂの下端と、第２誘導部３３２の延設部３３２Ａとは離隔する。
【００２７】
なお、詳細な説明は省略するが、右側の第３部材３Ｃにも、上記と同一形状の第１誘導部３３１が設けられている。
【００２８】
第１ローラ３２の左右両側、且つ、一対の第３部材３Ｃの夫々の近傍に、第２誘導部３３２が設けられている。以下、第１ローラ３２の左側に設けられた第２誘導部３３２について説明する。第２誘導部３３２は、延設部３３２Ａ及び固定部３３２Ｂを有する。固定部３３２Ｂは、第１ローラ３２の左端の左側に設けられる。固定部３３２Ｂは、第１ローラ３２と略同一の断面形状を有する円柱形である。固定部３３２Ｂの軸心は、第１ローラ３２の回転軸の延長方向と同一方向に延びる。延設部３３２Ａは、固定部３３２Ｂの周壁の上側と後側との間から外側に延びる板状の部材である。延設部３３２Ａのうち固定部３３２Ｂと反対側の端部は、前方から後方に向けて斜め下方向に傾斜する。延設部３３２Ａの固定部３３２Ｂと反対側の端部のうち後方の端部は、第１誘導部３３１の第１規制部３３１Ｂの下端に近接する。
【００２９】
＜剥離機構５＞
図４から図７を参照し、剥離機構５の詳細について説明する。図４に示すように、剥離機構５は枠部５２を備える。枠部５２は、板状の第１部材５２１、一対の第２部材５２２、及び、第３部材５２５とを有する。第１部材５２１の形状は、左右方向に延びる長方形である。一対の第２部材５２２の夫々は、第１部材５２１の左右両側から下側に延びる。一対の第２部材５２２の夫々の前端部に、左右両側に向けて突出する円柱状の軸部５２３が設けられている。剥離機構５は、本体部２（図２参照）に軸部５２３で揺動可能に支持される。以下、第１部材５２１の面が水平に延びた状態に剥離機構５が揺動した場合（図１参照）を例に挙げて説明する。一対の第２部材５２２の夫々に、左右方向に貫通する長穴５２４が設けられている。長穴５２４は、一対の第２部材５２２の夫々の前端近傍から後端近傍まで前後方向に延びる。図５に示すように、第３部材５２５は、第１部材５２１の下側に設けられている。第３部材５２５は、左右両端部で、後述する第２規制部５５及び第３規制部５６を支持する。第３部材５２５は、下方に突出する一対の固定部５７を有する。
【００３０】
図５及び図７に示すように、第１部材５２１の下側に一対の第２規制部５５が設けられる。一対の第２規制部５５の夫々は、板状の第１延設部５５１、及び、第２延設部５５２を備える。第１延設部５５１、及び、第２延設部５５２の平面は上下方向を向く。左側の第２規制部５５の第１延設部５５１は、第１部材５２１の前方左側の角、且つ、第１部材５２１から下側に離隔した位置で、第３部材５２５に固定されている。左側の第２規制部５５の第１延設部５５１は、左側の固定部５７の左側近傍まで右方水平方向に延びる。左側の第２規制部５５の第２延設部５５２は、第１延設部５５１の右端から後方斜め上方向に延び、先端で屈曲して後方斜め下方向に延びる。右側の第２規制部５５の第１延設部５５１は、第１部材５２１の前方右側の角、且つ、第１部材５２１から下側に離隔した位置で、第３部材５２５に固定されている。右側の第２規制部５５の第１延設部５５１は、右側の固定部５７の右側近傍まで左方水平方向に延びる。右側の第２規制部５５の第２延設部５５２は、第１延設部５５１の左端から後方斜め上方向に延び、先端で屈曲して後方斜め下方向に延びる。一対の第２規制部５５の夫々は、夫々の第２延設部５５２側が下方に移動する向きに弾性変形可能である。
【００３１】
第１部材５２１の下側に、一対の第３規制部５６が更に設けられる。一対の第３規制部５６の夫々は、板状の第１延設部５６１、第２延設部５６２、及び第３延設部５６３を備える。第１延設部５６１、第２延設部５６２、及び第３延設部５６３の平面は、左右方向を向く。左側の第３規制部５６は、枠部５２の左側の第２部材５２２の右側に配置され、右側の第３規制部５６は、枠部５２の右側の第２部材５２２の左側に配置される。
【００３２】
左側の第３規制部５６の第１延設部５６１は、第１部材５２１の前方左側の角、且つ、左側の第２規制部５５の左端の上側近傍から右斜め後方に延びる。左側の第３規制部５６の第２延設部５６２は、第１延設部５６１の後端から左斜め後方に延びる。左側の第３規制部５６の第３延設部５６３は、第２延設部５６２の後端から右斜め後方に延びる。左側の第３規制部５６の第２延設部５６２と第３延設部５６３との接合部分は、後述する一対の第２部材５４２（図６、図７参照）のうち左側に近接する。右側の第３規制部５６の第１延設部５６１は、第１部材５２１の前方右側の角、且つ、右側の第２規制部５５の右端の上側近傍から左斜め後方に延びる。左側の第３規制部５６の第２延設部５６２は、第１延設部５６１の後端から右斜め後方に延びる。左側の第３規制部５６の第３延設部５６３は、第２延設部５６２の後端から左斜め後方に延びる。右側の第３規制部５６の第２延設部５６２と第３延設部５６３との接合部分は、後述する一対の第２部材５４２のうち右側に近接する。一対の第３規制部５６の夫々は、第２延設部５６２及び第３延設部５６３側が左右内側に移動する向きに弾性変形可能である。
【００３３】
図４及び図６に示すように、剥離機構５は、支持部５４を更に備える。支持部５４は、第１部材５４１、一対の第２部材５４２、及び第３部材５４３を備える。第１部材５４１は左右方向に延びる。第１部材５４１の左右方向の長さは、枠部５２の第１部材５２１の左右方向の長さよりも僅かに短い。第１部材５４１の下側には、左右方向に延び且つ下側が開口した空間が形成される。図５及び図７示すように、第１部材５４１の下側の空間に第２ローラ５１が設けられる。第２ローラ５１は円柱状であり、左右方向に延びる。第２ローラ５１の左右両端は、第１部材５４１によって回転可能に支持されている。
【００３４】
一対の第２部材５４２は、第１部材５４１の左右両端から前側に延びる板状部材である。一対の第２部材５４２の前後方向の長さは、枠部５２の一対の第２部材５２２の前後方向の長さと略同一である。左側の第２部材５４２の少なくとも一部は、左側の第２部材５２２と、左側の第３規制部５６との間に配置される。右側の第２部材５４２の少なくとも一部は、右側の第２部材５２２と、右側の第３規制部５６との間に配置される。一対の第２部材５４２の夫々の外側面の前端部に、左右外側に突出する図示外の突出部が設けられる。夫々の突出部は、枠部５２の一対の第２部材５２２の夫々の長穴５２４に内側から挿通する。２つの突出部の夫々は、長穴５２４に沿って前後方向に移動可能である。これによって支持部５４は、枠部５２の第１部材５２１及び一対の第２部材５２２で囲まれた空間内に配置された状態（図４、図５参照）と、空間の後側に配置された状態（図６、図７参照）とに移動可能である。一対の第２部材５４２の夫々の後端近傍に、左右外側に突出する突起部５３が設けられている。一対の第２部材５４２の夫々の前端に、左右内側に突出する突出部５４２Ａ（図７参照）が設けられている。
【００３５】
第３部材５４３は、一対の第２部材５４２の夫々の前後方向略中央よりも後側の部分の間に架設される。第１部材５４１、一対の第２部材５４２、及び第３部材５４３は、内側に開口を形成する。
【００３６】
図５に示すように、枠部５２の第１部材５２１及び一対の第２部材５２２で囲まれた空間内に支持部５４が配置された場合、一対の第２規制部５５の夫々の第２延設部５５２は、支持部５４の第１部材５４１、一対の第２部材５４２、及び第３部材５４３の内側の開口を下側から上側に通過する。夫々の第２延設部５５２は、支持部５４の第３部材５４３の後端に接触し、第３部材５４３が後方に移動することを規制する。これによって、支持部５４の後方への移動は規制される。
【００３７】
以下、一対の第２規制部５５の夫々の第２延設部５５２が支持部５４の第３部材５４３の後端に接触した状態（図４、図５で示される状態）を、収容状態という。収容状態において、軸部５２３と第２ローラ５１との間の距離を、第２距離という。詳細には、第２距離は、軸部５２３の軸線及び第２ローラ５１の軸線の双方に直交する方向を直交方向と定義した場合、軸部５２３の軸線を通る仮想線と、第２ローラ５１の軸線を通る仮想線との間の直交方向の距離を示す。
【００３８】
一方、一対の第２規制部５５の夫々を弾性変形させ、夫々の第２延設部５５２を下方に移動させた場合、夫々の第２延設部５５２の後側に支持部５４の第３部材５４３を移動させることが可能となる。これによって、支持部５４は後方に移動可能となる。収容状態の支持部５４を後方に移動させ、夫々の第２延設部５５２の後側に支持部５４の第３部材５４３が配置された場合を例に挙げる。この場合、左側の第２部材５４２の突出部５４２Ａは、左側の第３規制部５６の第１延設部５６１と第２延設部５６２との接合部分の左側に配置される。又、右側の第２部材５４２の突出部５４２Ａは、右側の第３規制部５６の第１延設部５６１と第２延設部５６２との接合部分の右側に配置される。この状態から支持部５４が後方に更に移動した場合、第２延設部５６２が突出部５４２Ａに接触し、突出部５４２Ａが後方に移動することを規制する。これによって、支持部５４の後方への移動は規制される。以下、第３規制部５６の第２延設部５６２によって突出部５４２Ａの後方への移動が規制された状態を、中間状態という。
【００３９】
一方、第３規制部５６を弾性変形させ、第２延設部５６２及び第３延設部５６３を左右内側に移動させた場合、夫々の第２延設部５６２及び第３延設部５６３の接合部分の後側に突出部５４２Ａを移動させることが可能となる。これによって、支持部５４は後方に移動可能となる。中間状態の支持部５４を後方に移動させ、夫々の第２延設部５６２及び第３延設部５６３の接合部分の後側に突出部５４２Ａが配置された場合を例に挙げる。この場合、図７に示すように、左側の第２部材５４２の突出部５４２Ａは、左側の第３規制部５６の第２延設部５６２と第３延設部５６３との接合部分の後側に配置される。又、右側の第２部材５４２の突出部５４２Ａは、右側の第３規制部５６の第２延設部５６２と第３延設部５６３との接合部分の後側に配置される。夫々の第３延設部５６３は突出部５４２Ａに接触し、突出部５４２Ａが前方に移動することを規制する。これによって、支持部５４の前方への移動は規制される。
【００４０】
以下、第３規制部５６の第３延設部５６３によって突出部５４２Ａの前方への移動が規制された状態（図６、図７で示される状態）を、突出状態という。突出状態において、軸部５２３と第２ローラ５１との間の距離を、第１距離という。第１距離は、第２距離よりも長くなる。
【００４１】
＜保持機構７＞
図８から図１３を参照し、保持機構７について説明する。保持機構７は、剥離機構５を移動可能に保持する。保持機構７は、一対の軸支持部７１、一対の第２付勢部７２、一対の固定部７３、及び、一対の支持部７４等を備える。
【００４２】
図８に示すように、一対の軸支持部７１は、剥離機構５の左右両側に設けられる。図９に示すように、一対の軸支持部７１の夫々は、前後方向に延びる溝７１Ａを左右内側に有する。剥離機構５の枠部５２の左側に設けられた軸部５２３は、左側の軸支持部７１の溝７１Ａに挿通し、剥離機構５の枠部５２の右側に設けられた軸部５２３は、右側の軸支持部７１の溝７１Ａに挿通する。剥離機構５は、一対の軸支持部７１の夫々の溝７１Ａに沿って軸部５２３が移動することによって、前後方向に移動可能である。又、剥離機構５は、一対の軸支持部７１の夫々の溝７１Ａが軸部５２３を揺動可能に支持することによって、前端を支点として後端を揺動させることが可能である。なお、詳細は後述するが、剥離機構５の後端を揺動させるときには、剥離機構５の前端の前方に、前端が自由に回動可能な空間が必要となる。
【００４３】
図９に示すように、一対の第２付勢部７２、一対の固定部７３、及び、一対の支持部７４は、剥離機構５の下側に設けられる。一対の第２付勢部７２は板状である。一対の第２付勢部７２は、剥離機構５の下側に設けられた台座７５に下端が固定されている。左側の第２付勢部７２は、左側の軸支持部７１の下方且つ内側から、後斜め上方に延びる。右側の第２付勢部７２は、右側の軸支持部７１の下方且つ内側から、後斜め上方に延びる。図１１に示すように、一対の第２付勢部７２の夫々の上端は、剥離機構５の第３部材５２５の下面の後端部に接触する。一対の第２付勢部７２の夫々は、剥離機構５の後端部を上向きに付勢する。
【００４４】
図８から図１０に示すように、一対の支持部７４は、平面部と湾曲部を上面に有する直方体状である。左側の支持部７４は、左側の第２付勢部７２の右側に設けられ、右側の支持部７４は、右側の第２付勢部７２の左側に設けられる。図８、図１０から図１２に示すように、一対の支持部７４の夫々の上面は、剥離機構５の第３部材５２５の下面の前端部に接触する。
【００４５】
図９及び図１０に示すように、一対の固定部７３は板状である。左側の固定部７３は、左側の支持部７４の右側から後斜め上方に延び、上端で屈曲し、後斜め下方に延びる。右側の固定部７３は、右側の支持部７４の左側から後斜め上方に延び、上端で屈曲し、後斜め下方に延びる。一対の固定部７３の夫々は、下側に移動する向きに弾性変形可能である。
【００４６】
図１０に示すように、軸支持部７１の溝７１Ａに沿って軸部５２３が移動することによって剥離機構５が前方に移動した場合、一対の固定部７３の夫々の上端部分は、枠部５２のうち下方に突出する一対の固定部５７の夫々の後側に配置し、一対の固定部５７の夫々に後側から接触する。一対の固定部７３の夫々は、一対の固定部５７の夫々の後方への移動を規制する。剥離機構５は、本体部２の傾斜部２Ａ（図１参照）の後端に、剥離機構５の前端が接触するまで移動した状態で保持される（図１参照）。なお、剥離機構５は揺動可能であり、且つ、一対の第２付勢部７２によって後端部が上向きに付勢されている。しかし、傾斜部２Ａの後端と剥離機構５の前端とが接触した状態で剥離機構５が保持されるため、傾斜部２Ａと剥離機構５との間に空間が形成されない。従って、剥離機構５の前端の回動は傾斜部２Ａによって抑制されるので、剥離機構５は、枠部５２の第１部材５２１が水平な状態で保持される。図１１に示すように、剥離機構５の前方下側の角は、一対の支持部７４の湾曲部の前側に接触する。
【００４７】
なお、剥離機構の枠部５２の第１部材５２１が水平な状態で保持された状態で、ユーザは、剥離機構５を収容状態から中間状態を経て突出状態に容易に切り替えることができない。理由は、ユーザは、この状態で剥離機構５の支持部５４を指でつまむことが容易でないので、枠部５２から支持部５４を容易に引き出すことができないためである。以下、収容状態の剥離機構５が前側に移動した状態（図１、図１０参照）を、第４状態という。
【００４８】
一方、一対の固定部７３の夫々が下側に移動する向きに弾性変形することによって、剥離機構５は前後方向に移動可能となる。図１２に示すように、軸支持部７１の溝７１Ａに沿って軸部５２３が移動して剥離機構５が後方に移動した場合、一対の固定部７３の夫々の上端部分は、枠部５２のうち下方に突出する一対の固定部５７の夫々の前側に配置する。一対の固定部７３の夫々は、一対の固定部５７の夫々に前側から接触する。一対の固定部７３の夫々は、一対の固定部５７の夫々の前方への移動を規制する。剥離機構５は、本体部２の傾斜部２Ａ（図１参照）の後端と、剥離機構５の前端との間に空間が形成された状態で保持される。なお、剥離機構５は揺動可能であり、且つ、一対の第２付勢部７２によって後端部が上向きに付勢されている。従って、第４状態と異なり、剥離機構５の前端は回動可能な状態になる。従って、図１３に示すように、剥離機構５は、前端を支点として後端が上側に揺動する。剥離機構５が揺動する場合、剥離機構５の前方下側の角は、一対の支持部７４の上面の湾曲部に沿って、前側から後方に移動する。
【００４９】
剥離機構５の後方が上側に揺動した状態で、ユーザは、剥離機構５を収容状態から中間状態を経て突出状態に容易に切り替えることができる。理由は、ユーザは、剥離機構５の支持部５４の下側に指を引っ掛けて、枠部５２から支持部５４を引き出すことができるためである。以下、突出状態の剥離機構５が後端を上側に揺動させた状態（図２参照）を、第１状態という。
【００５０】
＜通常モードで印刷装置１を動作させる場合の手順＞
図１４、図１５を参照し、印刷装置１を通常モードで動作させる場合の手順について説明する。ユーザは、レバー２３を下方に押し下げ、係合部２４１（図２参照）から被係合部３２１（図２参照）を脱離させる。蓋部３は、付勢部２９Ａ（図２参照）の付勢力によって開く。ユーザは、用紙ホルダ９（図２参照）にロールを装着する。
【００５１】
ユーザは、剥離機構５の支持部５４を枠部５２側に押し込む。剥離機構５は収容状態となる。一対の第２規制部５５（図５参照）の夫々は、支持部５４の第３部材５４３（図５参照）の後側に接触し、支持部５４の後方への移動を規制する。次いでユーザは、剥離機構５の後端を下側に揺動させ、枠部５２の第１部材５２１を水平にした状態で、剥離機構５を前側に移動させる。剥離機構５の前端は、本体部２の傾斜部２Ａの後端に接触する。一対の固定部７３（図１０参照）は、枠部５２の一対の固定部５７（図１０参照）の夫々の後側に接触し、剥離機構５の後方への移動を規制する。剥離機構５は第４状態で保持される。
【００５２】
ユーザは、ロールから延びるテープのうち先端部分の台紙を、切断部２６Ａ及び印刷部２６Ｂ（図２参照）の後方に配置させた状態で、蓋部３を閉じる。図１４に示すように、蓋部３が閉じる過程で、剥離機構５の支持部５４の突起部５３（図４参照）は蓋部３の第１誘導部３３１に接触しない。従って、剥離機構５は第１誘導部３３１の移動部３３１Ａによって移動しない。図１５に示すように、蓋部３が閉じた場合、係合部２４１が被係合部３２１に係合する。蓋部３は閉じた状態で保持される。
【００５３】
以下、蓋部３を閉じた場合における軸部５２３と第１ローラ３２との間の距離を、第３距離という。詳細には、第３距離は、軸部５２３の軸線及び第１ローラ３２の軸線の双方に直交する方向を直交方向と定義した場合、軸部５２３の軸線を通る仮想線と、第１ローラ３２の軸線を通る仮想線との間の直交方向の距離を示す。第３距離は、収容状態における軸部５２３と第１ローラ３２との間の距離（第２距離）よりも大きく、突出状態における軸部５２３と第１ローラ３２との間の距離（第１距離）と略同一となる。なお、詳細には、第３距離は、第１距離よりも僅かに小さい。従って、第４状態において第１ローラ３２と第２ローラ５１（図５参照）とは離隔する。
【００５４】
ユーザはスイッチ２２を押下する。印刷部２６Ｂによる印刷が開始される。駆動部がギア７６、３６（図８、図９参照）を回転させることに応じて、第１ローラ３２は回転する。第１ローラ３２は、印刷された感熱ラベルを含むテープを排出口２６Ｃから排出する。なお、排出されたテープに第２ローラ５１は接触しないので、テープは延伸した状態で上方に排出される。このため、印刷された感熱ラベルは台紙に貼付された状態で排出される。
【００５５】
＜剥離モードで印刷装置１を動作させる場合の手順＞
図１６、図１７を参照し、印刷装置１を剥離モードで動作させる場合の手順について説明する。用紙ホルダ９にロールが装着されるまでの手順は、通常モードの場合と同一であるので、説明を省略する。ユーザは、第４状態の剥離機構５を後側に移動させる。一対の固定部７３（図１２参照）の夫々は弾性変形し、枠部５２の一対の固定部５７（図１２参照）の夫々の前側に移動する。一対の固定部７３の夫々は、一対の固定部５７の夫々の前側に接触し、剥離機構５の前方への移動を規制する。本体部２の傾斜部２Ａ（図１参照）の後端と、剥離機構５の前端との間に空間が形成される。剥離機構５の前端は、軸部５２３を支点として回動可能な状態になる。剥離機構５は、一対の第２付勢部７２の夫々の付勢力によって揺動し、剥離機構５の後端は上側に移動する（図１３参照）。
【００５６】
ユーザは、剥離機構５の支持部５４に対して、枠部５２から引き出す向きに力を加える。一対の第２規制部５５（図５参照）の夫々は下側に弾性変形する。一対の第２規制部５５（図５参照）の夫々は、支持部５４の第３部材５４３の後側から前側に移動する。又、支持部５４の第２部材５４２の突出部５４２Ａ（図７参照）は、一対の第３規制部５６（図７参照）の夫々の第１延設部５６１及び第２延設部５６２の接合部分の左右外側まで移動する。剥離機構５は、収容状態から中間状態に切り替わる。
【００５７】
ユーザは、剥離機構５の支持部５４に対して、枠部５２から引き出す向きに更に力を加える。一対の第３規制部５６の夫々は左右内側に弾性変形する。突出部５４２Ａ（図７参照）は、一対の第３規制部５６の夫々の第２延設部５６２と第３延設部５６３の接合部分の後側まで移動する。剥離機構５は、中間状態から突出状態に切り替わる。夫々の第３延設部５６３は突出部５４２Ａに接触し、支持部５４の前方への移動を規制する。剥離機構５は第１状態で保持される。
【００５８】
ユーザは、切断部２６Ａ及び印刷部２６Ｂ（図２参照）の後方、且つ、剥離機構５の支持部５４に支持された第２ローラ５１の下側に、ロールから延びるテープのうち先端部分の台紙を配置させる。ユーザは、この状態で蓋部３を閉じる操作を行う。図１６に示すように、蓋部３が閉じる過程で、蓋部３の第１誘導部３３１（図３参照）の移動部３３１Ａ（図３参照）の下側に、剥離機構５の支持部５４の突起部５３（図４参照）が接触する。蓋部３が徐々に閉じるに従って、突起部５３は移動部３３１Ａの下側に沿って後方に移動する。これによって剥離機構５は、一対の第２付勢部７２の付勢力に逆らって、前端の軸部５２３を支点として後端を下側に揺動させる。支持部５４の第１部材５４１に支持された第２ローラ５１（図７参照）は下方に移動し、蓋部３に支持された第１ローラ３２（図１７参照）に上側から徐々に近接する。
【００５９】
蓋部３が閉じた場合、係合部２４１が被係合部３２１に係合し、蓋部３は閉じた状態で保持される。剥離機構５は、枠部５２の第１部材５２１が水平になる状態まで揺動する。剥離機構５の支持部５４は、枠部５２から後方水平方向に突出した状態になる。支持部５４に支持された第２ローラ５１は、蓋部３に支持された第１ローラ３２の後方斜め上側に配置する。第１ローラ３２と第２ローラ５１とは、間に僅かな隙間が設けられた状態で近接する。以下、蓋部３の閉じる動作に応じて、突出状態の剥離機構５が後端を下側に揺動させた後の状態であって、枠部５２から支持部５４が後方水平方向に突出した状態を、第２状態という。
【００６０】
ユーザは、第２状態の剥離機構５の支持部５４を、蓋部３の第２部材３Ｂの上側に向けて押し下げる。剥離機構５は、後端を第２状態から更に下側に揺動させる。剥離機構５の支持部５４の突起部５３（図４参照）は、蓋部３の第２誘導部３３２（図３参照）の延設部３３２Ａ（図３参照）に上側から接触する。夫々の突起部５３は、延設部３３２Ａの端部に沿って、後方斜め下側に移動する。夫々の突起部５３は、第１誘導部３３１の第１規制部３３１Ｂ（図３参照）に接触する位置まで移動し、第１規制部３３１Ｂを後方に押す。第１誘導部３３１は、第１付勢部３３１Ｃの付勢力に逆らって後方に移動する。夫々の突起部５３は、第１規制部３３１Ｂの下方まで移動する。移動後、夫々の突起部５３が第１規制部３３１Ｂから離隔した場合、第１誘導部３３１は第１付勢部３３１Ｃの付勢力によって前方に移動する。第１規制部３３１Ｂの下端は、夫々の突起部５３に上側から接触し、剥離機構５の上方への移動を規制する。
【００６１】
なお、蓋部３を閉じた場合における軸部５２３と第１ローラ３２との間の距離（第３距離）は、突出状態における軸部５２３と第１ローラ３２との間の距離（第１距離）と略同一である。なお、詳細には、第３距離は、第１距離よりも僅かに小さいが、双方の距離の差は小さいので、夫々の突起部５３が第１規制部３３１Ｂの下側まで移動した状態で、第２ローラ５１は、第１ローラ３２の上方斜め後側に接触する。第１ローラ３２と第２ローラ５１との間に台紙のみが挟まれる。以下、ユーザが剥離機構５の支持部５４を下側に押し込む操作に応じて、突出状態の剥離機構５が後端を第２状態から更に下側に揺動させた後の状態であって、第１ローラ３２と第２ローラ５１とが接触した状態を、第３状態という。
【００６２】
ユーザはスイッチ２２を押下する。印刷部２６Ｂによる印刷が開始される。駆動部がギア７６、３６（図８、図９参照）を回転させることに応じて、第１ローラ３２は回転し、印刷された感熱ラベルを含むテープを排出口２６Ｃから排出する。なお、第２ローラ５１は第１ローラ３２との間に台紙を挟み、台紙を後方に屈曲させて後方に排出させる。これによって、台紙に貼付された状態で印刷された感熱ラベルは、台紙から剥離され、排出口２６Ｃから上側に排出される。
【００６３】
剥離モードで動作中の印刷装置１の蓋部３を開ける手順について説明する。ユーザは、レバー３１を後方に移動させる。レバー３１の移動に応じ、蓋部３の第１誘導部３３１は後方に移動する。第１規制部３３１Ｂは、剥離機構５の突起部５３から離隔する。剥離機構５は、後端が上方に移動する向きに揺動可能となる。なお剥離機構５には、一対の第２付勢部７２によって後端に上向きの付勢力が作用している。従って剥離機構５は、レバー３１の後方への移動に応じ、後端が上方に移動する向きに揺動する。第１誘導部３３１の移動部３３１Ａに、剥離機構５の突起部５３が接触する。移動部３３１Ａが突起部５３の移動を規制することによって、剥離機構５の揺動は停止される。剥離機構５は、第３状態から第２状態に切り替わり、第２状態で保持される。
【００６４】
ユーザは、レバー２３を下方に押し下げる。レバー２３が押し下げられたことに応じ、一対の係合部２４１は、第１延設部の上端が後方に移動する向きに揺動する。これによって、一対の係合部２４１から一対の被係合部３２１が外れる。なお蓋部３には、付勢部２９Ａ（図２参照）によって、閉じた状態から開いた状態に向けて付勢が作用している。従って蓋部３は、レバー２３が下方に押し下げられたことに応じ、閉じた状態から開いた状態に変化する。
【００６５】
蓋部３が開いたことに応じ、移動部３３１Ａは突起部５３から離隔する。剥離機構５は、一対の第２付勢部７２によって、後端が上方に移動する向きに揺動する。剥離機構５は、第２状態から第１状態に切り替わる。
【００６６】
以上説明したように、印刷装置１の剥離機構５は、蓋部３を閉じる動作に応じて第１状態から第２状態に切り替わる。第２状態において剥離機構５は、支持部５４が後方水平方向に延びた状態になる。剥離機構５は、支持部５４を下方に押し下げることで第３状態に切り替えることが可能な状態になる。このためユーザは、蓋部３を閉じる操作を行うと同時に、剥離機構５を、第２状態から第３状態に容易に切り替え可能な状態とすることができる。印刷装置１は、第３状態で印刷が行われた場合、台紙から感熱ラベルを剥離させながら、感熱ラベルを排出させる。従ってユーザは、蓋部３を閉じる操作を行うことによって、印刷装置１の状態を、剥離モードに容易に切り替え可能な状態とすることができる。又、剥離機構５が第３状態に切り替えられた場合、第１規制部３３１Ｂが突起部５３の移動を規制することによって、第２状態に戻ることが抑制される。従って、剥離機構５は、印刷装置１を剥離モードで安定的に動作させることができる。
【００６７】
第１誘導部３３１の第１規制部３３１Ｂは、第１付勢部３３１Ｃの付勢力に応じて前側に移動し、突起部５３の移動を規制する。従って第１規制部３３１Ｂは、突起部５３の移動を適切に規制できる。又、ユーザは、第１付勢部３３１Ｃの付勢力に逆らって第１規制部３３１Ｂを後方に移動させることによって、第１規制部３３１Ｂによる突起部５３の移動の規制を解除できる。これによってユーザは、剥離機構５を第３状態から第２状態に容易に切り替えることができるので、印刷装置１の動作モードを容易に切り替えることができる。
【００６８】
第２誘導部３３２の延設部３３２Ａは、ユーザによって支持部５４が押し下げられたときに、突起部５３を後方斜め下側に誘導する。従ってユーザは、印刷装置１の状態を、第２状態から第３状態に容易に切り替えることができる。
【００６９】
一対の第２付勢部７２は、剥離機構５の後端が上側に移動する向きに付勢力を作用させる。ユーザが第１規制部３３１Ｂによる突起部５３の移動の規制を解除する操作を行った場合、剥離機構５は自動的に揺動し、後端は上側に移動する。このためユーザは、剥離機構５を第３状態から第２状態に容易に切り替えることができる。又、ユーザが蓋部３を開く操作を行った場合、剥離機構５は自動的に揺動し、後端は更に上側に移動する。このためユーザは、剥離機構５を第２状態から第１状態に容易に切り替えることができる。結果、ユーザは、印刷装置１の動作モードを通常モード又は剥離モードに容易に切り替えることができる。
【００７０】
この場合、ユーザは、固定部によって剥離機構５を第４状態に固定させることによって、ラベルから台紙が剥離されない状態で排出される動作モードで印刷装置を動作させることができる。
【００７１】
剥離機構５が第４状態である場合、剥離機構５は収容状態となっており、軸部５２３と第２ローラ５１との間の距離は第２距離になる。この場合、ユーザが蓋部３を閉じる操作を行っても、剥離機構５は移動せず、第１ローラ３２と第２ローラ５１は接触しない。このためユーザは、剥離機構５を第４状態とすることによって、第１ローラ３２に第２ローラ５１が接触しないように配置させることができる。従ってユーザは、剥離機構５を第４状態とすることによって、印刷装置１を通常モードで動作させることができる。
【００７２】
剥離機構５の第２規制部５５は、支持部５４が収容状態から中間状態に切り替わることを規制できる。又、第３規制部５６は、支持部５４が突出状態から中間状態に切り替わることを規制できる。このため印刷装置１、通常モード又は剥離モードで安定的に動作できる。第２規制部５５及び第３規制部５６は、印刷装置１の動作モードが不意に切り替わることを抑制できる。
【００７３】
なお、本発明は上記実施形態に限定されず、種々の変更が可能である。上記の一対の第１誘導部３３１の夫々の移動部３３１Ａは、突起部５３が通過する溝を有していてもよい。夫々の移動部３３１Ａは、蓋部３が閉じるときに、一対の突起部５３の夫々を溝に沿って移動させることによって、剥離機構５を第１状態から第２状態に切り替えてもよい。第１規制部３３１Ｂは、一対の突起部５３の夫々を係止可能な形状（例えば、下端が開口した凹部）を下端に有していてもよい。一対の第１規制部３３１Ｂの夫々は、揺動することによって、一対の突起部５３の夫々の移動を規制する状態と規制しない状態とに切り替わってもよい。移動部３３１Ａ及び第１規制部３３１Ｂは、別の部材であってもよい。この場合、移動部３３１Ａは、蓋部３の一部であってもよい。第１規制部３３１Ｂのみが前後方向に移動可能に設けられていてもよい。第１付勢部３３１Ｃは、第１規制部３３１Ｂを前方に付勢してもよい。第１誘導部３３１は、蓋部３の左側及び右側のうち一方にのみ設けられてもよい。
【００７４】
一対の第２誘導部３３２は、突起部５３が通過する溝を有してもよい。夫々の第２誘導部３３２は、ユーザによって支持部５４が下方に押し込まれたときに、一対の突起部５３の夫々を溝に沿って移動させることによって、剥離機構５を第２状態から第３状態に切り替えてもよい。第２誘導部３３２は、第１ローラ３２の左右両側の部分であってもよい。第１規制部３３１Ｂとの代わりに、一対の突起部５３の夫々の上方への移動を規制する規制部が一対の第２誘導部３３２の夫々の下端に設けられてもよい。第２誘導部３３２は、蓋部３の左側及び右側のうち一方にのみ設けられてもよい。
【００７５】
一対の第２付勢部７２は、剥離機構５の後端に対して上方に付勢力を作用させるばねであってもよい。１つの第２付勢部７２が、剥離機構５の下側且つ左右略中央に設けられてもよい。一対の第２付勢部７２は設けられていなくてもよい。この場合、ユーザは、剥離機構５の後端を手動で上方に持ち上げてもよい。
【００７６】
一対の固定部７３が剥離機構５に設けられ、一対の固定部５７が本体部２の台座７５に設けられてもよい。一対の固定部５７、７３は、一対の軸支持部７１の夫々の溝７１Ａ内に設けられてもよい。この場合、一対の固定部５７、７３は、溝７１Ａ内に設けられた段差であってもよい。一対の固定部５７、７３は設けられていなくてもよい。
【００７７】
剥離機構５は、一対の軸部５２３の代わりに、前後方向に延びる溝を左右両側に有していてもよい。この場合、一対の軸支持部７１は、左右内側に延びる軸部を有してもよい。剥離機構５は、左右両側の溝に沿って、軸支持部７１の軸部を相対移動させることによって、前後方向に移動可能に構成されてもよい。蓋部３を閉じた状態における軸部５２３と第１ローラ３２との間の距離（第３距離）と、突出状態における一対の軸部５２３と第２ローラ５１との間の距離（第１距離）とは、同一であってもよい。又、蓋部３を閉じた状態における軸部５２３と第１ローラ３２との間の距離（第３距離）と、突出状態における一対の軸部５２３と第２ローラ５１との間の距離（第１距離）とは、第１ローラ３２と第２ローラ５１との夫々の半径を加算した長さ分異なっていてもよい。この場合でも、剥離機構５を第３状態とした場合に、第１ローラ３２と第２ローラ５１とを接触させることができる。
【００７８】
一対の第２規制部５５の夫々の形状は変更できる。第２規制部５５は、左側及び右側の何れか一方のみであってもよい。一対の第３規制部５６の夫々の形状は変更できる。第３規制部５６は、左側及び右側の何れか一方のみであってもよい。第２規制部５５及び第３規制部５６は一体となって形状されていてもよい。
【符号の説明】
【００７９】
１        印刷装置
２        本体部
３        蓋部
４        電池
５        剥離機構
７        保持機構
９        用紙ホルダ
２４      収容部
２８      本体固定部
３２      第１ローラ
５１      第２ローラ
５２      枠部
５３      突起部
５４      支持部
５５      第２規制部
５６      第３規制部
５７      固定部
７２      第２付勢部
７３      固定部
３３１    第１誘導部
３３１Ａ  移動部
３３１Ｂ  第１規制部
３３１Ｃ  第１付勢部
３３２    第２誘導部
３３２Ａ  延設部
３３２Ｂ  固定部
３３２Ｃ  第１付勢部
５２３    軸部
５４１    第１部材
５４２    第２部材
５４２Ａ  突出部
【手続補正２】
【補正対象書類名】図面
【補正対象項目名】図４
【補正方法】変更
【補正の内容】
【図４】
2015160662.tif 000020
【手続補正３】
【補正対象書類名】図面
【補正対象項目名】図５
【補正方法】変更
【補正の内容】
【図５】
2015160662.tif 000021
【手続補正４】
【補正対象書類名】図面
【補正対象項目名】図６
【補正方法】変更
【補正の内容】
【図６】
2015160662.tif 000022
【手続補正５】
【補正対象書類名】図面
【補正対象項目名】図７
【補正方法】変更
【補正の内容】
【図７】
2015160662.tif 000023